(57)【要約】【課題】壁面等に取り付けられる操作機器において、薄型化が可能で、かつ、簡易な防水構造を提供する。【解決手段】リモコン１は、本体２と前面パネル３とを備えている。本体２は、前面側からの押圧荷重を加えることによって電装基板４に近接する方向に移動し、かつ、前面側からの押圧荷重を解除することによって電装基板４から離反する方向に移動する操作ボタン部１９、２１を構成している。前面パネル３は、本体２の前面に固定されており、操作ボタン部１９、２１の前面側の部分を露出させるボタン孔３３、３５が形成されている。本体２の前面には、操作ボタン部１９、２１の下端から下方に延びる溝９１、９２が形成されている。溝９１、９２と前面パネル３の背面とは、ボタン孔３３、３５の周縁部分と操作ボタン部１９、２１の前面側の部分との隙間から本体２側に侵入した水を下方に導く導水経路９ａ、９ｂを構成している。【選択図】図２
2009076376.tif 000002
【特許請求の範囲】
【請求項１】
壁面等に取り付けられる操作機器であって、
壁面等に沿った状態で電装基板（４）を収容するとともに、前面側からの押圧荷重を加えることによって前記電装基板に近接する方向に移動し、かつ、前面側からの押圧荷重を解除することによって前記電装基板から離反する方向に移動する操作ボタン部（１７〜２２）を構成している本体（２）と、
前記本体の前面に固定されており、前記操作ボタン部の前面側の部分を露出させるボタン孔（３２〜３６）が形成された前面パネル（３）とを備え、
前記本体の前面には、前記操作ボタン部の下端から下方に延びる溝（９１、９２）が形成されており、
前記溝と前記前面パネルの背面とは、前記ボタン孔の周縁部分と前記操作ボタン部の前面側の部分との隙間から前記本体側に侵入した水を下方に導く導水経路（９ａ、９ｂ）を構成している、
操作機器（１）。
【請求項２】
前記本体（２）の前面には、前記溝（９１、９２）の上端の位置に、前記ボタン孔（３３、３５）の周縁部分と前記操作ボタン部（１９、２１）の前面側の部分との隙間から前記本体側に侵入した水を前記溝に導く前に集める集約部（９３、９４）がさらに形成されている、請求項１に記載の操作機器（１）。
【請求項３】
前記操作ボタン部（１７〜２２）は、前記第１操作ボタン部（１９、２１）と、前記第１操作ボタン部よりも下側に配置された前記第２操作ボタン部（１８、２０、２２）とを少なくとも有しており、
前記溝（９１、９２）は、前記第１操作ボタン部から前記第２操作ボタン部に向かって延びている、請求項１又は２に記載の操作機器（１）。
【請求項４】
前記本体（２）は、略箱形状のケース（５）と、前記操作ボタン部（１７〜２２）の前面側の部分を構成するボタン（１１〜１６）とを有しており、
前記操作ボタン部は、前記ボタンと、前記ケースの前面と一体に形成されており前記ボタンが配置されるボタン支持部（６１、６３、６５、６７、６９、７２、７５、７８、８１）と、前記ケースの前面と一体に形成されており前記ボタン支持部と前記ケースの前面とを弾性的に連結する弾性部（６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂ）とを有しており、
前記ボタン支持部と前記ケースの前面との間には、前記弾性部の形成に伴って隙間が形成されている、
請求項１〜３のいずれかに記載の操作機器（１）。
【発明の詳細な説明】
【技術分野】
【０００１】
本発明は、空調機等を遠隔操作する操作機器、特に、壁面等に取り付けられる操作機器に関する。
【背景技術】
【０００２】
従来より、空調機等を遠隔操作する操作機器の１つであるリモコンとして、壁面等に取り付けられるものがある。このようなリモコンは、主として、各種電子部品が実装された電装基板と、この電装基板を壁面等に沿った状態で収容する本体と、複数のボタントップが形成されたシリコンゴム等の弾性部材からなるボタンパッドとを有している。このボタンパッドは、本体の前面と電装基板との間に配置されており、各ボタントップは、本体の前面に形成されたボタン孔から露出している（特許文献１参照）。そして、このリモコンでは、ボタントップを前面側から押圧することによって電装基板に近接する方向に移動させ、前面側からの押圧荷重を解除することによって電装基板から離反する方向に移動させるという操作を行うことによって、電装基板に実装されたスイッチ素子を動作させ、これによって、空調機等の遠隔操作が行われる。
【０００３】
また、上述のリモコンと同様に、各種電子部品が実装された電装基板と、電装基板を壁面等に沿った状態で収容する本体と、複数のボタントップが形成されたシリコンゴム等の弾性部材からなるボタンパッドとを有する携帯電子機器において、ボタンパッドと本体の前面との間に防水用リブを設けた構成が開示されている（特許文献２参照）。
【特許文献１】特開２００１−１１２０７４号公報
【特許文献２】特開２００７−１２３１０３号公報
【発明の開示】
【発明が解決しようとする課題】
【０００４】
上述の壁面等に取り付けられるリモコンでは、清掃時に水拭きがなされた場合等において、本体のボタン孔の周縁部分とボタントップとの隙間から本体内に水が侵入し、これにより、電装基板に水がかかるおそれある。
【０００５】
これに対して、上述の携帯電子機器における防水用リブをボタンパッドと本体の前面との間に設けることで、本体のボタン孔の周縁部分とボタントップとの隙間から本体内に水が侵入するのを防ぐための防水構造が得られるが、このような防水用リブによる防水構造では、防水用リブの存在により、リモコンの薄型化が困難になるという問題があり、また、ボタンパッドと防水用リブとの間の密着性や本体の前面と防水用リブとの密着性を確保するために、ボタンパッドと本体の前面との間に高い圧縮荷重をかける必要が生じたり、各部材の寸法精度が要求される等のように、その構造が複雑になるという問題がある。
【０００６】
本発明の課題は、壁面等に取り付けられる操作機器において、薄型化が可能で、かつ、簡易な防水構造を提供することにある。
【課題を解決するための手段】
【０００７】
第１の発明にかかる操作機器は、壁面等に取り付けられる操作機器であって、本体と、前面パネルとを備えている。本体は、壁面等に沿った状態で電装基板を収容するとともに、前面側からの押圧荷重を加えることによって電装基板に近接する方向に移動し、かつ、前面側からの押圧荷重を解除することによって電装基板から離反する方向に移動する操作ボタン部を構成している。前面パネルは、本体の前面に固定されており、操作ボタン部の前面側の部分を露出させるボタン孔が形成されている。本体の前面には、操作ボタン部の下端から下方に延びる溝が形成されている。溝と前面パネルの背面とは、ボタン孔の周縁部分と操作ボタン部の前面側の部分との隙間から本体側に侵入した水を下方に導く導水経路を構成している。
【０００８】
この操作機器では、操作ボタン部を構成する本体の前面に前面パネルを固定する構造を採用するとともに、本体の前面に操作ボタン部の下端から下方に延びる溝を形成することで、溝と前面パネルの背面とによって導水経路を構成するようにしているため、清掃時に水拭きがなされた場合等において、ボタン孔の周縁部分と操作ボタン部の前面側の部分との隙間から本体側に水が侵入したとしても、この水が、導水経路を通じて下方に導かれて、電装基板の防水必要部分に対応する位置よりも下側に排水されることになり、これにより、操作ボタン部から本体内へさらに侵入して、電装基板に水がかかるのを防ぐことができる。このように、この操作機器における防水構造では、従来の防水用リブによる防水構造に比べて、防水用リブが存在しない分だけ、本体の薄型化が可能となり、しかも、密着性を確保するために部材間に圧縮荷重をかけたり、各部材の寸法精度が要求される等の必要のない簡易な構造とすることができる。
【０００９】
第２の発明にかかる操作機器は、第１の発明にかかる操作機器において、本体の前面には、溝の上端の位置に、ボタン孔の周縁部分と操作ボタン部の前面側の部分との隙間から本体側に侵入した水を溝に導く前に集める集約部がさらに形成されている。
【００１０】
この操作機器では、ボタン孔の周縁部分と操作ボタン部の前面側の部分との隙間から本体側に水が侵入した場合においても、この水が、集約部に集められた後に導水経路に導かれることになり、これにより、ボタン孔の周縁部分と操作ボタン部の前面側の部分との隙間から本体側に導水経路からの排水能力を超えるほどの多量の水が侵入した場合においても、この水を操作ボタン部から本体内に侵入させることなく、導水経路に導くことができる。
【００１１】
第３の発明にかかる操作機器は、第１又は第２の発明にかかる操作機器において、操作ボタン部は、第１操作ボタン部と、第１操作ボタン部よりも下側に配置された第２操作ボタン部とを少なくとも有している。溝は、第１操作ボタン部から第２操作ボタン部に向かって延びている。
【００１２】
この操作機器では、第１操作ボタン部から第１操作ボタン部よりも下側に配置された第２操作ボタン部に向かって溝が延びているため、第１操作ボタン部に対応するボタン孔の周縁部分と第１操作ボタンの前面側の部分との隙間から本体側に水が侵入したとしても、この水が、第１操作ボタン部から本体内に侵入することなく、導水経路を通じて下方の第２操作ボタン部まで導かれて、電装基板の防水が必要な部分よりも下側に排水されることになり、これにより、第１操作ボタン部から本体内へさらに侵入して、電装基板に水がかかるのを防ぐことができる。
【００１３】
第４の発明にかかる操作機器は、第１〜第３の発明のいずれかにかかる操作機器において、本体は、略箱形状のケースと、操作ボタン部の前面側の部分を構成するボタンとを有している。操作ボタン部は、ボタンと、ケースの前面と一体に形成されておりボタンが配置されるボタン支持部と、ケースの前面と一体に形成されておりボタン支持部とケースの前面とを弾性的に連結する弾性部とを有している。ボタン支持部とケースの前面との間には、弾性部の形成に伴って隙間が形成されている。
【００１４】
この操作機器では、本体がケースとボタンとを有するとともに、操作ボタン部がボタンとボタン支持部と弾性部とを有する構造となっており、弾性部の形成に伴ってボタン支持部とケースの前面との間に隙間が形成されていることから、ボタン孔の周縁部分と操作ボタン部の前面側の部分との隙間から本体側に水が侵入した場合に、この水が、この隙間を通じてケース内にさらに侵入するおそれがある構造となっている。しかし、この操作機器では、操作ボタン部を構成する本体の前面に前面パネルを固定する構造を採用するとともに、本体の前面に操作ボタン部の下端から下方に延びる溝を形成することで、溝と前面パネルの背面とによって導水経路を構成するようにしているため、清掃時に水拭きがなされた場合等において、ボタン孔の周縁部分と操作ボタンの前面側の部分との隙間から本体側に水が侵入したとしても、この水が、ボタン支持部とケースの前面との隙間からケース内に侵入することなく、導水経路を通じて下方に導かれて、電装基板の防水が必要な部分よりも下側に排水されることになり、これにより、操作ボタン部から本体内へさらに侵入して、電装基板に水がかかるのを防ぐことができる。
【発明の効果】
【００１５】
以上の説明に述べたように、本発明によれば、以下の効果が得られる。
【００１６】
第１の発明では、従来の防水用リブによる防水構造に比べて、防水用リブが存在しない分だけ、本体の薄型化が可能となり、しかも、密着性を確保するために部材間に圧縮荷重をかけたり、各部材の寸法精度が要求される等の必要のない簡易な構造とすることができる。
【００１７】
第２の発明では、ボタン孔の周縁部分と操作ボタン部の前面側の部分との隙間から本体側に導水経路からの排水能力を超えるほどの多量の水が侵入した場合においても、この水を操作ボタン部から本体内に侵入させることなく、導水経路に導くことができる。
【００１８】
第３の発明では、第１操作ボタン部に対応するボタン孔の周縁部分と第１操作ボタンの前面側の部分との隙間から本体側に水が侵入したとしても、この水が、第１操作ボタン部から本体内に侵入することなく、導水経路を通じて下方の第２操作ボタン部まで導かれて、電装基板の防水が必要な部分よりも下側に排水されることになり、これにより、第１操作ボタン部から本体内へさらに侵入して、電装基板に水がかかるのを防ぐことができる。
【００１９】
第４の発明では、清掃時に水拭きがなされた場合等において、ボタン孔の周縁部分と操作ボタンの前面側の部分との隙間から本体側に水が侵入したとしても、この水が、ボタン支持部とケースの前面との隙間からケース内に侵入することなく、導水経路を通じて下方に導かれて、電装基板の防水が必要な部分よりも下側に排水されることになり、これにより、操作ボタン部から本体内へさらに侵入して、電装基板に水がかかるのを防ぐことができる。
【発明を実施するための最良の形態】
【００２０】
以下、図面に基づいて、本発明にかかる操作機器の実施形態について説明する。
【００２１】
（１）リモコンの基本構造
図１〜図５は、本発明にかかる操作機器の一実施形態としてのリモコン１を示す図である。ここで、図１は、リモコン１の概略正面図である。図２は、リモコン１の概略分解斜視図である。図３は、図１のＩ−Ｉ断面図である。図４は、図１のＩＩ−ＩＩ断面図である。図５は、前面パネル３及びボタン１１〜１６をケース５に取り付ける前の状態におけるリモコン１の概略正面図である。尚、以下の説明において、「上」、「下」、「左」、「右」、「前」、「後」、「正面」、「背面」は、特にことわりのない限り、壁面に取り付けられた状態のリモコン１（図１参照）を正面（前）側から見た場合の方向を意味するものとする。
【００２２】
リモコン１は、図示しない壁面等に取り付けられており、空調機等を遠隔操作するためのリモートコントローラである。リモコン１は、主として、本体２と、前面パネル３とを有している。
【００２３】
＜本体＞
本体２は、壁面に沿った状態で電装基板４を収容しており、主として、略箱形状のケース５と、複数のボタン１１〜１６とを有している。
【００２４】
ケース５は、主として、上ケース６と、下ケース７とを有している。上ケース６は、主として、ケース５の前面を構成する前板５ａ、ケース５の上面を構成する上板５ｂ、ケース５の左側面を構成する左側板５ｃ、ケース５の右側面を構成する右側板５ｄ、及び、ケース５の下面を構成する下板５ｅを有している。下ケース７は、主として、ケース５の背面を構成する後板５ｆを有している。ここで、上ケース６及び下ケース７は、樹脂製の部材である。
【００２５】
前板５ａの略上半分の領域には、略長方形状の表示開口５１が形成されている。また、前板５ａの表示開口５１の下側の領域には、複数（ここでは、５つ）の凹部５２〜５６が形成されている。第１凹部５２は、前板５ａの表示開口５１の下側の領域の略中央付近において、ケース５を前面側から見た際に背面側に凹んだ略円形状の部分である。第２凹部５３は、第１凹部５２の左側において、ケース５を前面側から見た際に背面側に凹んだ略横長楕円形状の部分である。第３凹部５４は、第１凹部５２の左側で、かつ、第２凹部５３の下側において、ケース５を前面側から見た際に背面側に凹んだ略横長楕円形状の部分である。第４凹部５５は、第１凹部５２の右側において、ケース５を前面側から見た際に背面側に凹んだ略横長楕円形状の部分である。第５凹部５６は、第１凹部５２の右側で、かつ、第４凹部５５の下側において、ケース５を前面側から見た際に背面側に凹んだ略横長楕円形状の部分である。
【００２６】
第１凹部５２には、複数（ここでは、５つ）のボタン開口５６〜６０（図２は図示せず）が形成されている。第１中央ボタン開口５６は、第１凹部５２の略中央に形成された略円形状の孔である。第１上ボタン開口５７は、第１中央ボタン開口５６の上側に形成された略円弧形状の孔である。第１左ボタン開口５８は、第１中央ボタン開口５６の左側に形成された略円弧形状の孔である。第１右ボタン開口５９は、第１中央ボタン開口５６の右側に形成された略円弧形状の孔である。第１下ボタン開口６０は、第１中央ボタン開口５６の下側に形成された略円弧形状の孔である。
【００２７】
第１中央ボタン開口５６には、略円形状の第１中央ボタン支持部６１と、第１中央ボタン弾性部６２ａ、６２ｂ（図２には図示せず）とが配置されており、これらの部分６１、６２ａ、６２ｂが上ケース６と一体に形成されている。第１中央ボタン弾性部６２ａ、６２ｂは、第１中央ボタン支持部６１と第１中央ボタン開口５６の周縁部分と連結するアーム形状の部分である。この第１中央ボタン弾性部６２ａ、６２ｂは、後述の弾性変形を可能にするために、その両端部分を除いては、第１中央ボタン支持部６１及び第１中央ボタン開口５６の周縁部分に連結されておらず、第１中央ボタン支持部６１及び第１中央ボタン開口５６の周縁部分との間には、ケース５内に連通する隙間が存在している。また、第１中央ボタン支持部６１の背面には、後板５ｆに向かって突出する第１中央ボタン突起部６１ａが形成されている。そして、第１中央ボタン支持部６１に対して前面側から押圧荷重を加えると、第１中央ボタン弾性部６２ａ、６２ｂの弾性変形が生じて、第１中央ボタン支持部６１が、前板５ａと後板５ｆとの間に配置された電装基板４に近接する方向（すなわち、後板５ｆに近づく方向）に移動し、前面側からの押圧荷重を解除すると、第１中央ボタン弾性部６２ａ、６２ｂが元の状態に復元して、第１中央ボタン支持部６１が電装基板４から離反する方向（後板５ｆから離れる方向）に移動するようになっている。
【００２８】
第１上ボタン開口５７には、略円弧形状の第１上ボタン支持部６３と、第１上ボタン弾性部６４ａ、６４ｂとが配置されており、これらの部分６３、６４ａ、６４ｂが上ケース６と一体に形成されている。第１上ボタン弾性部６４ａ、６４ｂは、第１上ボタン支持部６３と第１上ボタン開口５７の周縁部分とを連結するアーム形状の部分である。この第１上ボタン弾性部６４ａ、６４ｂは、後述の弾性変形を可能にするために、その両端部分を除いては、第１上ボタン支持部６３及び第１上ボタン開口５７の周縁部分に連結されておらず、第１上ボタン支持部６３及び第１上ボタン開口５７の周縁部分との間には、ケース５内に連通する隙間が存在している。また、第１上ボタン支持部６３の背面には、後板５ｆに向かって突出する第１上ボタン突起部６３ａが形成されている。そして、第１上ボタン支持部６３に対して前面側から押圧荷重を加えると、第１上ボタン弾性部６４ａ、６４ｂの弾性変形が生じて、第１上ボタン支持部６３が、前板５ａと後板５ｆとの間に配置された電装基板４に近接する方向（すなわち、後板５ｆに近づく方向）に移動し、前面側からの押圧荷重を解除すると、第１上ボタン弾性部６４ａ、６４ｂが元の状態に復元して、第１上ボタン支持部６３が電装基板４から離反する方向（後板５ｆから離れる方向）に移動するようになっている。
【００２９】
第１左ボタン開口５８には、略円弧形状の第１左ボタン支持部６５と、第１左ボタン弾性部６６ａ、６６ｂ（図２には図示せず）とが配置されており、これらの部分６５、６６ａ、６６ｂが上ケース６と一体に形成されている。第１左ボタン弾性部６６ａ、６６ｂは、第１左ボタン支持部６５と第１左ボタン開口５８の周縁部分とを連結するアーム形状の部分である。この第１左ボタン弾性部６６ａ、６６ｂは、後述の弾性変形を可能にするために、その両端部分を除いては、第１左ボタン支持部６５及び第１左ボタン開口５８の周縁部分に連結されておらず、第１左ボタン支持部６５及び第１左ボタン開口５８の周縁部分との間には、ケース５内に連通する隙間が存在している。また、第１左ボタン支持部６５の背面には、後板５ｆに向かって突出する第１左ボタン突起部６５ａが形成されている。そして、第１左ボタン支持部６５に対して前面側から押圧荷重を加えると、第１左ボタン弾性部６６ａ、６６ｂの弾性変形が生じて、第１左ボタン支持部６５が、前板５ａと後板５ｆとの間に配置された電装基板４に近接する方向（すなわち、後板５ｆに近づく方向）に移動し、前面側からの押圧荷重を解除すると、第１左ボタン弾性部６６ａ、６６ｂが元の状態に復元して、第１左ボタン支持部６５が、電装基板４から離反する方向（後板５ｆから離れる方向）に移動するようになっている。
【００３０】
第１右ボタン開口５９には、略円弧形状の第１右ボタン支持部６７と、第１右ボタン弾性部６８ａ、６８ｂ（図２には図示せず）とが配置されており、これらの部分６７、６８ａ、６８ｂが上ケース６と一体に形成されている。第１右ボタン弾性部６８ａ、６８ｂは、第１右ボタン支持部６７と第１右ボタン開口５９の周縁部分とを連結するアーム形状の部分である。この第１右ボタン弾性部６８ａ、６８ｂは、後述の弾性変形を可能にするために、その両端部分を除いては、第１右ボタン支持部６７及び第１右ボタン開口５９の周縁部分に連結されておらず、第１右ボタン支持部６７及び第１右ボタン開口５９の周縁部分との間には、ケース５内に連通する隙間が存在している。また、第１右ボタン支持部６７の背面には、後板５ｆに向かって突出する第１右ボタン突起部６７ａが形成されている。そして、第１右ボタン支持部６７に対して前面側から押圧荷重を加えると、第１右ボタン弾性部６８ａ、６８ｂの弾性変形が生じて、第１右ボタン支持部６７が、前板５ａと後板５ｆとの間に配置された電装基板４に近接する方向（すなわち、後板５ｆに近づく方向）に移動し、前面側からの押圧荷重を解除すると、第１右ボタン弾性部６８ａ、６８ｂが元の状態に復元して、第１右ボタン支持部６７が、電装基板４から離反する方向（後板５ｆから離れる方向）に移動するようになっている。
【００３１】
第１下ボタン開口６０には、略円弧形状の第１下ボタン支持部６９と、第１下ボタン弾性部７０ａ、７０ｂ（図２には図示せず）とが配置されており、これらの部分６９、７０ａ、７０ｂが上ケース６と一体に形成されている。第１下ボタン弾性部７０ａ、７０ｂは、第１下ボタン支持部６９と第１下ボタン開口６０の周縁部分とを連結するアーム形状の部分である。この第１下ボタン弾性部７０ａ、７０ｂは、後述の弾性変形を可能にするために、その両端部分を除いては、第１下ボタン支持部６９及び第１下ボタン開口６０の周縁部分に連結されておらず、第１下ボタン支持部６９及び第１下ボタン開口６０の周縁部分との間には、ケース５内に連通する隙間が存在している。また、第１下ボタン支持部６９の背面には、後板５ｆに向かって突出する第１下ボタン突起部６９ａが形成されている。そして、第１下ボタン支持部６９に対して前面側から押圧荷重を加えると、第１下ボタン弾性部７０ａ、７０ｂの弾性変形が生じて、第１下ボタン支持部６９が、前板５ａと後板５ｆとの間に配置された電装基板４に近接する方向（すなわち、後板５ｆに近づく方向）に移動し、前面側からの押圧荷重を解除すると、第１下ボタン弾性部７０ａ、７０ｂが元の状態に復元して、第１下ボタン支持部６９が、電装基板４から離反する方向（後板５ｆから離れる方向）に移動するようになっている。
【００３２】
第２凹部５３には、第２左ボタン開口７１（図２には図示せず）が形成されている。第２左ボタン開口７１は、第２凹部５３の略中央に形成された略横長楕円形状の孔である。第２左ボタン開口７１には、略横長楕円形状の第２左ボタン支持部７２と、第２左ボタン弾性部７３ａ、７３ｂ（図２には図示せず）とが配置されており、これらの部分７２、７３ａ、７３ｂが上ケース６と一体に形成されている。第２左ボタン弾性部７３ａ、７３ｂは、第２左ボタン支持部７２と第２左ボタン開口７１の周縁部分とを連結するアーム形状の部分である。この第２左ボタン弾性部７３ａ、７３ｂは、後述の弾性変形を可能にするために、その両端部分を除いては、第２左ボタン支持部７２及び第２左ボタン開口７１の周縁部分に連結されておらず、第２左ボタン支持部７２及び第２左ボタン開口７１の周縁部分との間には、ケース５内に連通する隙間が存在している。また、第２左ボタン支持部７２の背面には、後板５ｆに向かって突出する第２左ボタン突起部７２ａが形成されている。そして、第２左ボタン支持部７２に対して前面側から押圧荷重を加えると、第２左ボタン弾性部７３ａ、７３ｂの弾性変形が生じて、第２左ボタン支持部７２が、前板５ａと後板５ｆとの間に配置された電装基板４に近接する方向（すなわち、後板５ｆに近づく方向）に移動し、前面側からの押圧荷重を解除すると、第２左ボタン弾性部７３ａ、７３ｂが元の状態に復元して、第２左ボタン支持部７２が、電装基板４から離反する方向（後板５ｆから離れる方向）に移動するようになっている。
【００３３】
第３凹部５４には、第３左ボタン開口７４（図２には図示せず）が形成されている。第３左ボタン開口７４は、第３凹部５４の略中央に形成された略横長楕円形状の孔である。第３左ボタン開口７４には、略横長楕円形状の第３左ボタン支持部７５と、第３左ボタン弾性部７６ａ、７６ｂ（図２には図示せず）とが配置されており、これらの部分７５、７６ａ、７６ｂが上ケース６と一体に形成されている。第３左ボタン弾性部７６ａ、７６ｂは、第３左ボタン支持部７５と第３左ボタン開口７４の周縁部分とを連結するアーム形状の部分である。この第３左ボタン弾性部７６ａ、７６ｂは、後述の弾性変形を可能にするために、その両端部分を除いては、第３左ボタン支持部７５及び第３左ボタン開口７４の周縁部分に連結されておらず、第３左ボタン支持部７５及び第３左ボタン開口７４の周縁部分との間には、ケース５内に連通する隙間が存在している。また、第３左ボタン支持部７５の背面には、後板５ｆに向かって突出する第３左ボタン突起部７５ａが形成されている。そして、第３左ボタン支持部７５に対して前面側から押圧荷重を加えると、第３左ボタン弾性部７６ａ、７６ｂの弾性変形が生じて、第３左ボタン支持部７５が、前板５ａと後板５ｆとの間に配置された電装基板４に近接する方向（すなわち、後板５ｆに近づく方向）に移動し、前面側からの押圧荷重を解除すると、第３左ボタン弾性部７６ａ、７６ｂが元の状態に復元して、第３左ボタン支持部７５が、電装基板４から離反する方向（後板５ｆから離れる方向）に移動するようになっている。
【００３４】
第４凹部５５には、第４右ボタン開口７７（図２には図示せず）が形成されている。第４右ボタン開口７７は、第４凹部５５の略中央に形成された略横長楕円形状の孔である。第４右ボタン開口７７には、略横長楕円形状の第４右ボタン支持部７８と、第４右ボタン弾性部７９ａ、７９ｂ（図２には図示せず）とが配置されており、これらの部分７８、７９ａ、７９ｂが上ケース６と一体に形成されている。第４右ボタン弾性部７９ａ、７９ｂは、第４右ボタン支持部７８と第４右ボタン開口７７の周縁部分とを連結するアーム形状の部分である。この第４右ボタン弾性部７９ａ、７９ｂは、後述の弾性変形を可能にするために、その両端部分を除いては、第４右ボタン支持部７８及び第４右ボタン開口７７の周縁部分に連結されておらず、第４右ボタン支持部７８及び第４右ボタン開口７７の周縁部分との間には、ケース５内に連通する隙間が存在している。また、第４右ボタン支持部７８の背面には、後板５ｆに向かって突出する第４右ボタン突起部７８ａが形成されている。そして、第４右ボタン支持部７８に対して前面側から押圧荷重を加えると、第４右ボタン弾性部７９ａ、７９ｂの弾性変形が生じて、第４右ボタン支持部７８が、前板５ａと後板５ｆとの間に配置された電装基板４に近接する方向（すなわち、後板５ｆに近づく方向）に移動し、前面側からの押圧荷重を解除すると、第４右ボタン弾性部７９ａ、７９ｂが元の状態に復元して、第４右ボタン支持部７８が、電装基板４から離反する方向（後板５ｆから離れる方向）に移動するようになっている。
【００３５】
第５凹部５６には、第５右ボタン開口８０（図２には図示せず）が形成されている。第５右ボタン開口８０は、第５凹部５６の略中央に形成された略横長楕円形状の孔である。第５右ボタン開口８０には、略横長楕円形状の第５右ボタン支持部８１と、第５右ボタン弾性部８２ａ、８２ｂ（図２には図示せず）とが配置されており、これらの部分８１、８２ａ、８２ｂが上ケース６と一体に形成されている。第５右ボタン弾性部８２ａ、８２ｂは、第５右ボタン支持部８１と第５右ボタン開口８０の周縁部分とを連結するアーム形状の部分である。この第５右ボタン弾性部８２ａ、８２ｂは、後述の弾性変形を可能にするために、その両端部分を除いては、第５右ボタン支持部８１及び第５右ボタン開口８０の周縁部分に連結されておらず、第５右ボタン支持部８１及び第５右ボタン開口８０の周縁部分との間には、ケース５内に連通する隙間が存在している。また、第５右ボタン支持部８１の背面には、後板５ｆに向かって突出する第５右ボタン突起部８１ａが形成されている。そして、第５右ボタン支持部８１に対して前面側から押圧荷重を加えると、第５右ボタン弾性部８２ａ、８２ｂの弾性変形が生じて、第５右ボタン支持部８１が、前板５ａと後板５ｆとの間に配置された電装基板４に近接する方向（すなわち、後板５ｆに近づく方向）に移動し、前面側からの押圧荷重を解除すると、第５右ボタン弾性部８２ａ、８２ｂが元の状態に復元して、第５右ボタン支持部８１が、電装基板４から離反する方向（後板５ｆから離れる方向）に移動するようになっている。
【００３６】
電装基板４は、ケース５の内部空間を前後方向に分割するように配置されており、ケース５を前面側から見た際に、その下端が、第１凹部５２の下端、第３凹部５４の下端、及び第５凹部５６の下端の位置まで延びている。そして、電装基板４の略上半分の領域には、前板５ａの表示開口５１に対向するように、空調機の運転状態等を表示するための液晶表示板４１が実装されており、電装基板４の略下半分の領域には、各ボタン支持部６１、６３、６５、６７、６９、７２、７５、７８、８１の背面に形成されたボタン突起部６１ａ、６３ａ、６５ａ、６７ａ、６９ａ、７２ａ、７５ａ、７８ａ、８１ａに対向するように、押圧されている場合のみＯＮ状態となるタクトスイッチ４２〜５０が実装されている。これにより、各ボタン支持部６１、６３、６５、６７、６９、７２、７５、７８、８１に対して前面側から押圧荷重を加えることで、各ボタン支持部６１、６３、６５、６７、６９、７２、７５、７８、８１を電装基板４に近接する方向に移動させると、ボタン突起部６１ａ、６３ａ、６５ａ、６７ａ、６９ａ、７２ａ、７５ａ、７８ａ、８１ａによってタクトスイッチ４２〜５０が押圧されてＯＮ状態となり、前面側からの押圧荷重を解除することで、各ボタン支持部６１、６３、６５、６７、６９、７２、７５、７８、８１を電装基板４から離反する方向に移動させると、ボタン突起部６１ａ、６３ａ、６５ａ、６７ａ、６９ａ、７２ａ、７５ａ、７８ａ、８１ａによるタクトスイッチ４２〜５０の押圧も開示されてＯＦＦ状態となるようになっている。
【００３７】
中央ボタン１１は、第１凹部５２の第１中央ボタン支持部６１上に配置される略円形状の樹脂製の部材である。この中央ボタン１１は、主として、第１中央ボタン支持部６１よりも大きな外形を有する略円形状のケース当接部１１ａと、ケース当接部１１ａの前面側に一体に形成されておりケース当接部１１ａよりも小さい外形を有する略円形状の押圧部１１ｂとを有している。そして、この中央ボタン１１に対して前面側から押圧荷重を加えることで、第１中央ボタン支持部６１に対して押圧荷重が作用し、これにより、タクトスイッチ４２がＯＮ状態となり、前面側からの押圧荷重を解除することで、第１中央ボタン支持部６１に対する押圧荷重が作用しなくなり、これにより、タクトスイッチ４２がＯＦＦ状態となるようになっている。このように、本体２を構成する中央ボタン１１、第１中央ボタン支持部６１、及び第１中央ボタン弾性部６２ａ、６２ｂは、前面側からの押圧荷重を加えることによって電装基板４に近接する方向に移動し、かつ、前面側からの押圧荷重を解除することによって電装基板４から離反する方向に移動する中央操作ボタン部１７を構成している。
【００３８】
十字ボタン１２は、中央ボタン１１の外周を囲むように、かつ、第１凹部５２のボタン支持部６３、６５、６７、６９上に渡って配置される略円環形状の樹脂製の部材である。この十字ボタン１２は、主として、その内周縁が中央ボタン１１のケース当接部１１ａの外周縁に接し、かつ、その外周縁が第１凹部５２の外周縁に接する略円環形状のケース当接部１２ａと、ケース当接部１２ａの前面側に一体に形成されておりその内周縁が中央ボタン１１の押圧部１１ｂに接し、かつ、その外周縁がケース当接部１２ａの外周縁よりも小さい略円環形状の押圧部１２ｂとを有している。そして、この十字ボタン１２の上部に対して前面側から押圧荷重を加えることで、第１上ボタン支持部６３に対して押圧荷重が作用し、これにより、タクトスイッチ４３がＯＮ状態となり、前面側からの押圧荷重を解除することで、第１上ボタン支持部６３に対する押圧荷重が作用しなくなり、これにより、タクトスイッチ４３がＯＦＦ状態となるようになっており、この十字ボタン１２の左部に対して前面側から押圧荷重を加えることで、第１左ボタン支持部６５に対して押圧荷重が作用し、これにより、タクトスイッチ４４がＯＮ状態となり、前面側からの押圧荷重を解除することで、第１左ボタン支持部６５に対する押圧荷重が作用しなくなり、これにより、タクトスイッチ４４がＯＦＦ状態となるようになっており、この十字ボタン１２の右部に対して前面側から押圧荷重を加えることで、第１右ボタン支持部６７に対して押圧荷重が作用し、これにより、タクトスイッチ４５がＯＮ状態となり、前面側からの押圧荷重を解除することで、第１右ボタン支持部６７に対する押圧荷重が作用しなくなり、これにより、タクトスイッチ４５がＯＦＦ状態となるようになっており、この十字ボタン１２の下部に対して前面側から押圧荷重を加えることで、第１下ボタン支持部６９に対して押圧荷重が作用し、これにより、タクトスイッチ４６がＯＮ状態となり、前面側からの押圧荷重を解除することで、第１下ボタン支持部６９に対する押圧荷重が作用しなくなり、これにより、タクトスイッチ４６がＯＦＦ状態となるようになっている。このように、本体２を構成する十字ボタン１２、ボタン支持部６３、６５、６７、６９、及びボタン弾性部６４ａ、６４ｂ、６６ａ、６６ｂ、６８ａ、６８ｂ、７０ａ、７０ｂは、前面側からの押圧荷重を加えることによって電装基板４に近接する方向に移動し、かつ、前面側からの押圧荷重を解除することによって電装基板４から離反する方向に移動する十字操作ボタン部１８を構成している。
【００３９】
左上ボタン１３は、第２凹部５３の第２左ボタン支持部７２上に配置される略横長楕円形状の樹脂製の部材である。この左上ボタン１３は、主として、第２左ボタン支持部７２よりも大きな外形を有する略横長楕円形状のケース当接部１３ａ（図示せず）と、ケース当接部１３ａの前面側に一体に形成されておりケース当接部１３ａよりも小さい外形を有する略横長楕円形状の押圧部１３ｂ（図示せず）とを有している。そして、この左上ボタン１３に対して前面側から押圧荷重を加えることで、第２左ボタン支持部７２に対して押圧荷重が作用し、これにより、タクトスイッチ４７がＯＮ状態となり、前面側からの押圧荷重を解除することで、第２左ボタン支持部７２に対する押圧荷重が作用しなくなり、これにより、タクトスイッチ４７がＯＦＦ状態となるようになっている。このように、本体２を構成する左上ボタン１３、第２左ボタン支持部７２、及び第２左ボタン弾性部７３ａ、７３ｂは、前面側からの押圧荷重を加えることによって電装基板４に近接する方向に移動し、かつ、前面側からの押圧荷重を解除することによって電装基板４から離反する方向に移動する左上操作ボタン部１９を構成している。
【００４０】
左下ボタン１４は、第３凹部５４の第３左ボタン支持部７５上に配置される略横長楕円形状の樹脂製の部材である。この左下ボタン１４は、主として、第３左ボタン支持部７５よりも大きな外形を有する略横長楕円形状のケース当接部１４ａ（図示せず）と、ケース当接部１４ａの前面側に一体に形成されておりケース当接部１４ａよりも小さい外形を有する略横長楕円形状の押圧部１４ｂ（図示せず）とを有している。そして、この左下ボタン１４に対して前面側から押圧荷重を加えることで、第３左ボタン支持部７５に対して押圧荷重が作用し、これにより、タクトスイッチ４８がＯＮ状態となり、前面側からの押圧荷重を解除することで、第３左ボタン支持部７５に対する押圧荷重が作用しなくなり、これにより、タクトスイッチ４８がＯＦＦ状態となるようになっている。このように、本体２を構成する左下ボタン１４、第３左ボタン支持部７５、及び第３左ボタン弾性部７６ａ、７６ｂは、前面側からの押圧荷重を加えることによって電装基板４に近接する方向に移動し、かつ、前面側からの押圧荷重を解除することによって電装基板４から離反する方向に移動する左下操作ボタン部２０を構成している。
【００４１】
右上ボタン１５は、第４凹部５５の第４右ボタン支持部７８上に配置される略横長楕円形状の樹脂製の部材である。この右上ボタン１５は、主として、第４右ボタン支持部７８よりも大きな外形を有する略横長楕円形状のケース当接部１５ａと、ケース当接部１５ａの前面側に一体に形成されておりケース当接部１５ａよりも小さい外形を有する略横長楕円形状の押圧部１５ｂとを有している。そして、この右上ボタン１５に対して前面側から押圧荷重を加えることで、第４右ボタン支持部７８に対して押圧荷重が作用し、これにより、タクトスイッチ４９がＯＮ状態となり、前面側からの押圧荷重を解除することで、第４右ボタン支持部７８に対する押圧荷重が作用しなくなり、これにより、タクトスイッチ４９がＯＦＦ状態となるようになっている。このように、本体２を構成する右上ボタン１５、第４右ボタン支持部７８、及び第４右ボタン弾性部７９ａ、７９ｂは、前面側からの押圧荷重を加えることによって電装基板４に近接する方向に移動し、かつ、前面側からの押圧荷重を解除することによって電装基板４から離反する方向に移動する右上操作ボタン部２１を構成している。
【００４２】
右下ボタン１６は、第５凹部５６の第５右ボタン支持部８１上に配置される略横長楕円形状の樹脂製の部材である。この右下ボタン１６は、主として、第５右ボタン支持部８１よりも大きな外形を有する略横長楕円形状のケース当接部１６ａと、ケース当接部１６ａの前面側に一体に形成されておりケース当接部１６ａよりも小さい外形を有する略横長楕円形状の押圧部１６ｂとを有している。そして、この右下ボタン１６に対して前面側から押圧荷重を加えることで、第５右ボタン支持部８１に対して押圧荷重が作用し、これにより、タクトスイッチ５０がＯＮ状態となり、前面側からの押圧荷重を解除することで、第５右ボタン支持部８１に対する押圧荷重が作用しなくなり、これにより、タクトスイッチ５０がＯＦＦ状態となるようになっている。このように、本体２を構成する右下ボタン１６、第５右ボタン支持部８１、及び第５右ボタン弾性部８２ａ、８２ｂは、前面側からの押圧荷重を加えることによって電装基板４に近接する方向に移動し、かつ、前面側からの押圧荷重を解除することによって電装基板４から離反する方向に移動する右下操作ボタン部２２を構成している。
【００４３】
前面パネル３は、本体２の前面（より具体的には、前板５ａの前面）に固定された樹脂製の板状部材である。ここで、前面パネル３の本体２の前面への固定は、接着剤等による貼り付けによって行われている。前面パネル３の略上半分の領域には、本体２の表示開口５１に対向するように略長方形状の透明な窓部３１が形成されており、前面側から液晶表示板４１が視認できるようになっている。また、前面パネル３の略下半分の領域には、中央操作ボタン部１７及び十字操作ボタン部１８に対向する中央ボタン孔３２と、左上操作ボタン部１９に対向する左上ボタン孔３３と、左下操作ボタン部２０に対向する左下ボタン孔３４と、右上操作ボタン部２１に対向する右上ボタン孔３５と、右下操作ボタン部２２に対向する右下ボタン孔３６とが形成されており、これらのボタン孔３２〜３６から、各操作ボタン部１７〜２２の前面側の部分に相当するボタン１１〜１６が露出している。ここで、中央ボタン孔３２は、十字ボタン１２の押圧部１２ｂの外周縁よりも大きく、かつ、ケース当接部１２ａの外周縁よりも小さい孔サイズを有しており、前面パネル３が本体２の前面に固定された状態において、十字ボタン１２が中央ボタン孔３２から飛び出さない構造となっている。また、他の各ボタン孔３３〜３６についても、中央ボタン孔３２と同様に、各ボタン１３〜１６の押圧部１３ｂ〜１６ｂの外周縁よりも大きく、かつ、ケース当接部１３ａ〜１６ａの外周縁よりも小さい孔サイズを有しており、前面パネル３が本体２の前面に固定された状態において、各ボタン１３〜１６が各ボタン孔３３〜３６から飛び出さない構造となっている。また、中央ボタン１１については、十字ボタン１２の押圧部１２ｂの内周縁が、中央ボタン１１の押圧部１１ｂに接するとともに、中央ボタン１１のケース当接部１１ａよりも内周側まで延びているため、前面パネル３が本体２の前面に固定された状態において、十字ボタン１２の内周縁によって中央ボタン孔３２から飛び出さない構造となっている。
【００４４】
以上のように、本実施形態におけるリモコン１では、操作ボタン部１７〜２２を構成する本体２の前面に前面パネル３を固定する構造が採用されており、操作ボタン部１７〜２２については、本体２がケース５とボタン１３〜１６を有するとともに、操作ボタン部１７〜２２が、ボタン１１〜１６と、ボタン支持部６１、６３、６５、６７、６９、７２、７５、７８、８１と、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂとを有する構造が採用されている。
【００４５】
（２）リモコンの防水構造
上述のような基本構造を有するリモコン１においては、中央操作ボタン部１７の前面側の部分に対応する中央ボタン１１と十字操作ボタン部１８の前面側の部分に対応する十字ボタン１２との間に隙間が存在し、また、前面パネル３の各ボタン孔３２〜３６の周縁部分と対応する操作ボタン部１８〜２２の前面側の部分に対応するボタン１２〜１６との間に隙間が存在するため、清掃時にリモコン１の水拭きがなされた場合等において、これらの隙間から本体２側（より具体的には、前板５ａの前面側）に水が侵入するおそれがある。そして、このような本体２側への水の侵入が生じた場合には、この水が、操作ボタン部１７〜２２から本体２内にさらに侵入するおそれがある。
【００４６】
特に、このリモコン１のような、操作ボタン部１７〜２２が、ボタン１１〜１６と、ボタン支持部６１、６３、６５、６７、６９、７２、７５、７８、８１と、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂとを有する構造を採用している場合には、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂの形成に伴って、ボタン支持部６１、６３、６５、６７、６９、７２、７５、７８、８１とケース５の前面（より具体的には、前板５ａの前面）との間に隙間が形成されていることから、操作ボタン部１７の前面側の部分に対応する中央ボタン１１と十字操作ボタン部１８の前面側の部分に対応する十字ボタン１２との間の隙間や、各ボタン孔３２〜３６の周縁部分と対応する操作ボタン部１８〜２２の前面側の部分に対応するボタン１２〜１６との間の隙間から本体２側に水が侵入した場合に、この水が、この隙間を通じてケース５内にさらに侵入するおそれが高くなっている。
【００４７】
これに対して、このリモコン１では、中央ボタン１１と十字ボタン１２との間の隙間や中央ボタン孔３２の周縁部分と十字ボタン１２との隙間から本体２側に侵入した水については、第１凹部５２の外周縁の形状を円弧状にすることによって第１凹部５２の外周縁付近を伝って下方に導かれやすくするとともに、電装基板４の下端が、中央操作ボタン部１７及び十字操作ボタン部１８が配置される第１凹部５２の下端の位置よりも下側に位置しないようにし、左下ボタン孔３４の周縁部分と左下ボタン１４との隙間から本体２側に侵入した水については、電装基板４の下端が、左下操作ボタン部２０が配置される第３凹部５４の下端の位置よりも下側に位置しないようにし、右下ボタン孔３６の周縁部分と右下ボタン１６との隙間から本体２側に侵入した水については、電装基板４の下端が、右下操作ボタン部２２が配置される第５凹部５６の下端の位置よりも下側に位置しないようにすることで、第１凹部５２の下端、第３凹部５４の下端、及び第５凹部５６の下端よりも下側に電装基板４の防水必要部分（電装基板４に実装された電子部品）が位置しないようにして、中央ボタン１１と十字ボタン１２と隙間、中央ボタン孔３２の周縁部分と十字ボタン１２との隙間、左下ボタン孔３４の周縁部分と左下ボタン１４との隙間、及び、右下ボタン孔３６の周縁部分と右下ボタン１６との隙間から本体２側に侵入した場合であっても、この水を、ボタン支持部６１、６３、６５、６７、６９、７５、８１とケース５の前面との隙間からケース５内に侵入させることなく、凹部５２、５４、５６等を通じて凹部５２、５４、５６の下端まで速やかに導き、電装基板４に水がかかるのを防ぐようにしている。
【００４８】
しかし、左上ボタン孔３３の周縁部分と左上ボタン１３との隙間、及び、右上ボタン孔３５の周縁部分と右上ボタン１５との隙間から本体２側に侵入した水については、左下操作ボタン部２０及び右下操作ボタン部２２が、左上操作ボタン部１９及び右上操作ボタン部２１よりも下側に位置する関係上、電装基板４の下端を、左上操作ボタン部１９が配置される第２凹部５３の下端、及び、右上操作ボタン部２１が配置される第４凹部５５の下端よりも下側に位置しないようにすることが困難である。
【００４９】
そこで、このリモコン１では、本体２の前面（より具体的には、前板５ａの前面）に、
左上操作ボタン部１９の下端から下方に延びる左溝９１、及び、右上操作ボタン部２１の下端から下方に延びる右溝９２を形成するようにしている。これにより、左溝９１と前面パネル３の背面とは、左上ボタン孔３３の周縁部分と左上操作ボタン部１９の前面側の部分に対応する左上ボタン１３との隙間から本体２側に侵入した水を下方に導く左導水経路９ａを構成し、右溝９２と前面パネル３の背面とは、右上ボタン孔３５の周縁部分と右上操作ボタン部２１の前面側の部分に対応する右上ボタン１５との隙間から本体２側に侵入した水を下方に導く右導水経路９ｂを構成することになる。ここでは、左溝９１は、左上操作ボタン部１９（第１操作ボタン部）よりも下側に配置された左下操作ボタン部２０に向かって延びており、右溝９２は、右上操作ボタン部２１（第１操作ボタン部）よりも下側に配置された右下操作ボタン部２２に向かって延びている。
【００５０】
このため、清掃時にリモコン１の水拭きがなされた場合等において、左上ボタン孔３３の周縁部分と左上ボタン１３との隙間から本体２側に水が侵入したとしても、この水が、左導水経路９ａを通じて下方の左下操作ボタン部２０まで導かれ、また、右上ボタン孔３５の周縁部分と右上ボタン１５との隙間から本体２側に水が侵入したとしても、この水が、右導水経路９ｂを通じて下方の右下操作ボタン部２２まで導かれて、電装基板４の防水必要部分に対応する位置よりも下側に排水されることになり、これにより、操作ボタン部１９、２１から本体２内へさらに侵入して、電装基板４に水がかかるのを防ぐことができる。このように、このリモコン１における防水構造では、従来の防水用リブによる防水構造に比べて、防水用リブが存在しない分だけ、本体２の薄型化が可能となり、しかも、密着性を確保するために部材間に圧縮荷重をかけたり、各部材の寸法精度が要求される等の必要のない簡易な構造とすることができる。
【００５１】
また、左溝９１は、第３凹部５４の左端に接続されており、右溝９２は、第５凹部５６の右端に接続されているため、導水経路９ａ、９ｂを通じて下方の操作ボタン部２０、２２まで導かれた水が、凹部５４、５６の外周縁付近を伝って速やかに凹部５４、５６の下端に導くことができる。
【００５２】
さらに、このリモコン１では、本体２の前面（より具体的には、前板５ａの前面）において、左溝９１の上端の位置に、左上ボタン孔３３の周縁部分と左上ボタン１３との隙間から本体２側に侵入した水を左溝９１に導く前に集める左集約部９３と、右溝９２の上端の位置に、右上ボタン孔３５の周縁部分と右上ボタン１５との隙間から本体２側に侵入した水を右溝９２に導く前に集める右集約部９４とがさらに形成されている。ここで、左集約部９３は、第２凹部５３の下端よりも下側に形成された左溝９１よりも幅広の溝であり、右集約部９４は、第４凹部５５の下端よりも下側に形成された右溝９２よりも幅広の溝である。
【００５３】
このため、このリモコン１では、左上ボタン孔３３の周縁部分と左上ボタン１３との隙間から本体２側に水が侵入した場合においても、この水が、左集約部９３に集められた後に左導水経路９ａに導かれることになり、右上ボタン孔３５の周縁部分と右上ボタン１５との隙間から本体２側に水が侵入した場合においても、この水が、右集約部９４に集められた後に右導水経路９ｂに導かれることになり、これにより、左上ボタン孔３３の周縁部分と左上ボタン１３との隙間や右上ボタン孔３５の周縁部分と右上ボタン１５との隙間から本体２側に導水経路９ａ、９ｂからの排水能力を超えるほどの多量の水が侵入した場合においても、この水を操作ボタン部１９、２１から本体２内に侵入させることなく、導水経路９ａ、９ｂに導くことができる。また、このリモコン１のように、本体２の前面に前面パネル３を貼り付けによって固定する構造を採用する際には、確実な固定を実現するために、本体２の前面（より具体的には、前板５ａの前面）と前面パネル３の背面とが接触する面積を多くすることが望ましいが、集約部９３、９４を設けることによって溝９１、９２の幅を小さくできるため、本体２の前面と前面パネル３の背面とが接触する面積を多くすることに寄与することもなる。
【００５４】
（３）他の実施形態
以上、本発明の実施形態について図面に基づいて説明したが、具体的な構成は、これらの実施形態に限られるものではなく、発明の要旨を逸脱しない範囲で変更可能である。
【００５５】
＜Ａ＞
上述の実施形態では、左上操作ボタン部から導水経路を設ける必要が生じていない左下操作ボタン部に向かって延びる導水経路、及び、右上操作ボタン部から導水経路を設ける必要が生じていない右下操作ボタン部に向かって延びる導水経路を設けているが、左上操作ボタン部や右上操作ボタン部から導水経路を設ける必要が生じていない中央操作ボタン部及び十字操作ボタン部に向かって延びる導水経路を設けるようにしてもよい。また、上述の実施形態とは異なり、導水経路を設ける必要が生じていない操作ボタン部が存在しない場合には、各操作ボタン部に導水経路を設けるようにしてもよい。
【００５６】
＜Ｂ＞
上述の実施形態では、電装基板との相対配置の工夫等により導水経路を設ける必要が生じていない中央操作ボタン部及び十字操作ボタン部と左下操作ボタン部と右下操作ボタン部とについては、左上操作ボタン部や右上操作ボタン部とは異なり、本発明にかかる排水経路を設けていないが、第１凹部、第３凹部及び第５凹部の下端よりも下側に電装基板を配置せざるを得ない場合等のように、導水経路を設ける必要が生じる場合には、中央操作ボタン部及び十字操作ボタン部と左下操作ボタン部と右下操作ボタン部とについても、本発明にかかる排水経路を設けるようにしてもよい。
【００５７】
＜Ｃ＞
上述の実施形態では、操作ボタン部を構成するボタンが、ケースの前面と一体に形成されたボタン支持部とは別部材となっているが、ボタンがボタン支持部に一体に形成されていてもよい。
【００５８】
＜Ｄ＞
また、操作ボタン部の具体的な構成や個数等は、上述の実施形態のものに限定されず、種々の構成や個数の操作ボタン部を有する場合にも、本発明を適用可能である。
【産業上の利用可能性】
【００５９】
本発明を利用すれば、壁面等に取り付けられる操作機器において、薄型化が可能で、かつ、簡易な防水構造を提供することができる。
【図面の簡単な説明】
【００６０】
【図１】本発明にかかる操作機器の一実施形態としてのリモコンの概略正面図である。
【図２】リモコンの概略分解斜視図である。
【図３】図１のＩ−Ｉ断面図である。
【図４】図１のＩＩ−ＩＩ断面図である。
【図５】前面パネル及びボタンをケースに取り付ける前の状態におけるリモコンの概略正面図である。
【符号の説明】
【００６１】
１  リモコン（操作機器）
２  本体
３  前面パネル
４  電装基板
５  ケース
９ａ、９ｂ  導水経路
１１〜１６  ボタン
１７〜２２  操作ボタン部
３２〜３６  ボタン孔
６１、６３、６５、６７、６９、７２、７５、７８、８１  ボタン支持部
６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂ  ボタン弾性部
９１、９２  溝
９３、９４  集約部
【図１】
2009076376.tif 000003
【図２】
2009076376.tif 000004
【図３】
2009076376.tif 000005
【図４】
2009076376.tif 000006
【図５】
2009076376.tif 000007
【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
壁面等に取り付けられる操作機器であって、
壁面等に沿った状態で電装基板（４）を収容するとともに、前面側からの押圧荷重を加えることによって前記電装基板に近接する方向に移動し、かつ、前面側からの押圧荷重を解除することによって前記電装基板から離反する方向に移動する操作ボタン部（１７〜２２）を構成している本体（２）と、
前記本体の前面に固定されており、前記操作ボタン部の前面側の部分を露出させるボタン孔（３２〜３６）が形成された前面パネル（３）とを備え、
前記本体の前面には、前記操作ボタン部の下端から下方に延びる溝（９１、９２）が形成されており、
前記溝と前記前面パネルの背面とは、前記ボタン孔の周縁部分と前記操作ボタン部の前面側の部分との隙間から前記本体側に侵入した水を下方に導く導水経路（９ａ、９ｂ）を構成している、
操作機器（１）。
【請求項２】
前記導水経路（９ａ、９ｂ）を通じて下方に導かれた水が前記電装基板（４）に実装された電子部品にかからないように、前記電装基板が前記本体に配置されている、請求項１に記載の操作機器（１）。
【請求項３】
前記本体（２）の前面には、前記溝（９１、９２）の上端の位置に、前記ボタン孔（３３、３５）の周縁部分と前記操作ボタン部（１９、２１）の前面側の部分との隙間から前記本体側に侵入した水を前記溝に導く前に集める集約部（９３、９４）がさらに形成されている、請求項１又は２に記載の操作機器（１）。
【請求項４】
前記操作ボタン部（１７〜２２）は、前記第１操作ボタン部（１９、２１）と、前記第１操作ボタン部よりも下側に配置された前記第２操作ボタン部（１８、２０、２２）とを少なくとも有しており、
前記溝（９１、９２）は、前記第１操作ボタン部から前記第２操作ボタン部に向かって延びている、請求項１〜３のいずれかに記載の操作機器（１）。
【請求項５】
前記本体（２）は、略箱形状のケース（５）と、前記操作ボタン部（１７〜２２）の前面側の部分を構成するボタン（１１〜１６）とを有しており、
前記操作ボタン部は、前記ボタンと、前記ケースの前面と一体に形成されており前記ボタンが配置されるボタン支持部（６１、６３、６５、６７、６９、７２、７５、７８、８１）と、前記ケースの前面と一体に形成されており前記ボタン支持部と前記ケースの前面とを弾性的に連結する弾性部（６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂ）とを有しており、
前記ボタン支持部と前記ケースの前面との間には、前記弾性部の形成に伴って隙間が形成されている、
請求項１〜４のいずれかに記載の操作機器（１）。
【手続補正２】
【補正対象書類名】明細書
【補正対象項目名】全文
【補正方法】変更
【補正の内容】
【発明の詳細な説明】
【技術分野】
【０００１】
本発明は、空調機等を遠隔操作する操作機器、特に、壁面等に取り付けられる操作機器に関する。
【背景技術】
【０００２】
従来より、空調機等を遠隔操作する操作機器の１つであるリモコンとして、壁面等に取り付けられるものがある。このようなリモコンは、主として、各種電子部品が実装された電装基板と、この電装基板を壁面等に沿った状態で収容する本体と、複数のボタントップが形成されたシリコンゴム等の弾性部材からなるボタンパッドとを有している。このボタンパッドは、本体の前面と電装基板との間に配置されており、各ボタントップは、本体の前面に形成されたボタン孔から露出している（特許文献１参照）。そして、このリモコンでは、ボタントップを前面側から押圧することによって電装基板に近接する方向に移動させ、前面側からの押圧荷重を解除することによって電装基板から離反する方向に移動させるという操作を行うことによって、電装基板に実装されたスイッチ素子を動作させ、これによって、空調機等の遠隔操作が行われる。
【０００３】
また、上述のリモコンと同様に、各種電子部品が実装された電装基板と、電装基板を壁面等に沿った状態で収容する本体と、複数のボタントップが形成されたシリコンゴム等の弾性部材からなるボタンパッドとを有する携帯電子機器において、ボタンパッドと本体の前面との間に防水用リブを設けた構成が開示されている（特許文献２参照）。
【特許文献１】特開２００１−１１２０７４号公報
【特許文献２】特開２００７−１２３１０３号公報
【発明の開示】
【発明が解決しようとする課題】
【０００４】
上述の壁面等に取り付けられるリモコンでは、清掃時に水拭きがなされた場合等において、本体のボタン孔の周縁部分とボタントップとの隙間から本体内に水が侵入し、これにより、電装基板に水がかかるおそれある。
【０００５】
これに対して、上述の携帯電子機器における防水用リブをボタンパッドと本体の前面との間に設けることで、本体のボタン孔の周縁部分とボタントップとの隙間から本体内に水が侵入するのを防ぐための防水構造が得られるが、このような防水用リブによる防水構造では、防水用リブの存在により、リモコンの薄型化が困難になるという問題があり、また、ボタンパッドと防水用リブとの間の密着性や本体の前面と防水用リブとの密着性を確保するために、ボタンパッドと本体の前面との間に高い圧縮荷重をかける必要が生じたり、各部材の寸法精度が要求される等のように、その構造が複雑になるという問題がある。
【０００６】
本発明の課題は、壁面等に取り付けられる操作機器において、薄型化が可能で、かつ、簡易な防水構造を提供することにある。
【課題を解決するための手段】
【０００７】
第１の発明にかかる操作機器は、壁面等に取り付けられる操作機器であって、本体と、前面パネルとを備えている。本体は、壁面等に沿った状態で電装基板を収容するとともに、前面側からの押圧荷重を加えることによって電装基板に近接する方向に移動し、かつ、前面側からの押圧荷重を解除することによって電装基板から離反する方向に移動する操作ボタン部を構成している。前面パネルは、本体の前面に固定されており、操作ボタン部の前面側の部分を露出させるボタン孔が形成されている。本体の前面には、操作ボタン部の下端から下方に延びる溝が形成されている。溝と前面パネルの背面とは、ボタン孔の周縁部分と操作ボタン部の前面側の部分との隙間から本体側に侵入した水を下方に導く導水経路を構成している。
【０００８】
この操作機器では、操作ボタン部を構成する本体の前面に前面パネルを固定する構造を採用するとともに、本体の前面に操作ボタン部の下端から下方に延びる溝を形成することで、溝と前面パネルの背面とによって導水経路を構成するようにしているため、清掃時に水拭きがなされた場合等において、ボタン孔の周縁部分と操作ボタン部の前面側の部分との隙間から本体側に水が侵入したとしても、この水が、導水経路を通じて下方に導かれて、電装基板の防水必要部分に対応する位置よりも下側に排水されることになり、これにより、操作ボタン部から本体内へさらに侵入して、電装基板に水がかかるのを防ぐことができる。このように、この操作機器における防水構造では、従来の防水用リブによる防水構造に比べて、防水用リブが存在しない分だけ、本体の薄型化が可能となり、しかも、密着性を確保するために部材間に圧縮荷重をかけたり、各部材の寸法精度が要求される等の必要のない簡易な構造とすることができる。
【０００９】
第２の発明にかかる操作機器は、第１の発明にかかる操作機器において、導水経路を通じて下方に導かれた水が電装基板に実装された電子部品にかからないように、電装基板が本体に配置されている。
【００１０】
第３の発明にかかる操作機器は、第１又は第２の発明にかかる操作機器において、本体の前面には、溝の上端の位置に、ボタン孔の周縁部分と操作ボタン部の前面側の部分との隙間から本体側に侵入した水を溝に導く前に集める集約部がさらに形成されている。
【００１１】
この操作機器では、ボタン孔の周縁部分と操作ボタン部の前面側の部分との隙間から本体側に水が侵入した場合においても、この水が、集約部に集められた後に導水経路に導かれることになり、これにより、ボタン孔の周縁部分と操作ボタン部の前面側の部分との隙間から本体側に導水経路からの排水能力を超えるほどの多量の水が侵入した場合においても、この水を操作ボタン部から本体内に侵入させることなく、導水経路に導くことができる。
【００１２】
第４の発明にかかる操作機器は、第１〜第３の発明のいずれかにかかる操作機器において、操作ボタン部は、第１操作ボタン部と、第１操作ボタン部よりも下側に配置された第２操作ボタン部とを少なくとも有している。溝は、第１操作ボタン部から第２操作ボタン部に向かって延びている。
【００１３】
この操作機器では、第１操作ボタン部から第１操作ボタン部よりも下側に配置された第２操作ボタン部に向かって溝が延びているため、第１操作ボタン部に対応するボタン孔の周縁部分と第１操作ボタンの前面側の部分との隙間から本体側に水が侵入したとしても、この水が、第１操作ボタン部から本体内に侵入することなく、導水経路を通じて下方の第２操作ボタン部まで導かれて、電装基板の防水が必要な部分よりも下側に排水されることになり、これにより、第１操作ボタン部から本体内へさらに侵入して、電装基板に水がかかるのを防ぐことができる。
【００１４】
第５の発明にかかる操作機器は、第１〜第４の発明のいずれかにかかる操作機器において、本体は、略箱形状のケースと、操作ボタン部の前面側の部分を構成するボタンとを有している。操作ボタン部は、ボタンと、ケースの前面と一体に形成されておりボタンが配置されるボタン支持部と、ケースの前面と一体に形成されておりボタン支持部とケースの前面とを弾性的に連結する弾性部とを有している。ボタン支持部とケースの前面との間には、弾性部の形成に伴って隙間が形成されている。
【００１５】
この操作機器では、本体がケースとボタンとを有するとともに、操作ボタン部がボタンとボタン支持部と弾性部とを有する構造となっており、弾性部の形成に伴ってボタン支持部とケースの前面との間に隙間が形成されていることから、ボタン孔の周縁部分と操作ボタン部の前面側の部分との隙間から本体側に水が侵入した場合に、この水が、この隙間を通じてケース内にさらに侵入するおそれがある構造となっている。しかし、この操作機器では、操作ボタン部を構成する本体の前面に前面パネルを固定する構造を採用するとともに、本体の前面に操作ボタン部の下端から下方に延びる溝を形成することで、溝と前面パネルの背面とによって導水経路を構成するようにしているため、清掃時に水拭きがなされた場合等において、ボタン孔の周縁部分と操作ボタンの前面側の部分との隙間から本体側に水が侵入したとしても、この水が、ボタン支持部とケースの前面との隙間からケース内に侵入することなく、導水経路を通じて下方に導かれて、電装基板の防水が必要な部分よりも下側に排水されることになり、これにより、操作ボタン部から本体内へさらに侵入して、電装基板に水がかかるのを防ぐことができる。
【発明の効果】
【００１６】
以上の説明に述べたように、本発明によれば、以下の効果が得られる。
【００１７】
第１又は第２の発明では、従来の防水用リブによる防水構造に比べて、防水用リブが存在しない分だけ、本体の薄型化が可能となり、しかも、密着性を確保するために部材間に圧縮荷重をかけたり、各部材の寸法精度が要求される等の必要のない簡易な構造とすることができる。
【００１８】
第３の発明では、ボタン孔の周縁部分と操作ボタン部の前面側の部分との隙間から本体側に導水経路からの排水能力を超えるほどの多量の水が侵入した場合においても、この水を操作ボタン部から本体内に侵入させることなく、導水経路に導くことができる。
【００１９】
第４の発明では、第１操作ボタン部に対応するボタン孔の周縁部分と第１操作ボタンの前面側の部分との隙間から本体側に水が侵入したとしても、この水が、第１操作ボタン部から本体内に侵入することなく、導水経路を通じて下方の第２操作ボタン部まで導かれて、電装基板の防水が必要な部分よりも下側に排水されることになり、これにより、第１操作ボタン部から本体内へさらに侵入して、電装基板に水がかかるのを防ぐことができる。
【００２０】
第５の発明では、清掃時に水拭きがなされた場合等において、ボタン孔の周縁部分と操作ボタンの前面側の部分との隙間から本体側に水が侵入したとしても、この水が、ボタン支持部とケースの前面との隙間からケース内に侵入することなく、導水経路を通じて下方に導かれて、電装基板の防水が必要な部分よりも下側に排水されることになり、これにより、操作ボタン部から本体内へさらに侵入して、電装基板に水がかかるのを防ぐことができる。
【発明を実施するための最良の形態】
【００２１】
以下、図面に基づいて、本発明にかかる操作機器の実施形態について説明する。
【００２２】
（１）リモコンの基本構造
図１〜図５は、本発明にかかる操作機器の一実施形態としてのリモコン１を示す図である。ここで、図１は、リモコン１の概略正面図である。図２は、リモコン１の概略分解斜視図である。図３は、図１のＩ−Ｉ断面図である。図４は、図１のＩＩ−ＩＩ断面図である。図５は、前面パネル３及びボタン１１〜１６をケース５に取り付ける前の状態におけるリモコン１の概略正面図である。尚、以下の説明において、「上」、「下」、「左」、「右」、「前」、「後」、「正面」、「背面」は、特にことわりのない限り、壁面に取り付けられた状態のリモコン１（図１参照）を正面（前）側から見た場合の方向を意味するものとする。
【００２３】
リモコン１は、図示しない壁面等に取り付けられており、空調機等を遠隔操作するためのリモートコントローラである。リモコン１は、主として、本体２と、前面パネル３とを有している。
【００２４】
＜本体＞
本体２は、壁面に沿った状態で電装基板４を収容しており、主として、略箱形状のケース５と、複数のボタン１１〜１６とを有している。
【００２５】
ケース５は、主として、上ケース６と、下ケース７とを有している。上ケース６は、主として、ケース５の前面を構成する前板５ａ、ケース５の上面を構成する上板５ｂ、ケース５の左側面を構成する左側板５ｃ、ケース５の右側面を構成する右側板５ｄ、及び、ケース５の下面を構成する下板５ｅを有している。下ケース７は、主として、ケース５の背面を構成する後板５ｆを有している。ここで、上ケース６及び下ケース７は、樹脂製の部材である。
【００２６】
前板５ａの略上半分の領域には、略長方形状の表示開口５１が形成されている。また、前板５ａの表示開口５１の下側の領域には、複数（ここでは、５つ）の凹部５２〜５６が形成されている。第１凹部５２は、前板５ａの表示開口５１の下側の領域の略中央付近において、ケース５を前面側から見た際に背面側に凹んだ略円形状の部分である。第２凹部５３は、第１凹部５２の左側において、ケース５を前面側から見た際に背面側に凹んだ略横長楕円形状の部分である。第３凹部５４は、第１凹部５２の左側で、かつ、第２凹部５３の下側において、ケース５を前面側から見た際に背面側に凹んだ略横長楕円形状の部分である。第４凹部５５は、第１凹部５２の右側において、ケース５を前面側から見た際に背面側に凹んだ略横長楕円形状の部分である。第５凹部５６は、第１凹部５２の右側で、かつ、第４凹部５５の下側において、ケース５を前面側から見た際に背面側に凹んだ略横長楕円形状の部分である。
【００２７】
第１凹部５２には、複数（ここでは、５つ）のボタン開口５６〜６０（図２は図示せず）が形成されている。第１中央ボタン開口５６は、第１凹部５２の略中央に形成された略円形状の孔である。第１上ボタン開口５７は、第１中央ボタン開口５６の上側に形成された略円弧形状の孔である。第１左ボタン開口５８は、第１中央ボタン開口５６の左側に形成された略円弧形状の孔である。第１右ボタン開口５９は、第１中央ボタン開口５６の右側に形成された略円弧形状の孔である。第１下ボタン開口６０は、第１中央ボタン開口５６の下側に形成された略円弧形状の孔である。
【００２８】
第１中央ボタン開口５６には、略円形状の第１中央ボタン支持部６１と、第１中央ボタン弾性部６２ａ、６２ｂ（図２には図示せず）とが配置されており、これらの部分６１、６２ａ、６２ｂが上ケース６と一体に形成されている。第１中央ボタン弾性部６２ａ、６２ｂは、第１中央ボタン支持部６１と第１中央ボタン開口５６の周縁部分と連結するアーム形状の部分である。この第１中央ボタン弾性部６２ａ、６２ｂは、後述の弾性変形を可能にするために、その両端部分を除いては、第１中央ボタン支持部６１及び第１中央ボタン開口５６の周縁部分に連結されておらず、第１中央ボタン支持部６１及び第１中央ボタン開口５６の周縁部分との間には、ケース５内に連通する隙間が存在している。また、第１中央ボタン支持部６１の背面には、後板５ｆに向かって突出する第１中央ボタン突起部６１ａが形成されている。そして、第１中央ボタン支持部６１に対して前面側から押圧荷重を加えると、第１中央ボタン弾性部６２ａ、６２ｂの弾性変形が生じて、第１中央ボタン支持部６１が、前板５ａと後板５ｆとの間に配置された電装基板４に近接する方向（すなわち、後板５ｆに近づく方向）に移動し、前面側からの押圧荷重を解除すると、第１中央ボタン弾性部６２ａ、６２ｂが元の状態に復元して、第１中央ボタン支持部６１が電装基板４から離反する方向（後板５ｆから離れる方向）に移動するようになっている。
【００２９】
第１上ボタン開口５７には、略円弧形状の第１上ボタン支持部６３と、第１上ボタン弾性部６４ａ、６４ｂとが配置されており、これらの部分６３、６４ａ、６４ｂが上ケース６と一体に形成されている。第１上ボタン弾性部６４ａ、６４ｂは、第１上ボタン支持部６３と第１上ボタン開口５７の周縁部分とを連結するアーム形状の部分である。この第１上ボタン弾性部６４ａ、６４ｂは、後述の弾性変形を可能にするために、その両端部分を除いては、第１上ボタン支持部６３及び第１上ボタン開口５７の周縁部分に連結されておらず、第１上ボタン支持部６３及び第１上ボタン開口５７の周縁部分との間には、ケース５内に連通する隙間が存在している。また、第１上ボタン支持部６３の背面には、後板５ｆに向かって突出する第１上ボタン突起部６３ａが形成されている。そして、第１上ボタン支持部６３に対して前面側から押圧荷重を加えると、第１上ボタン弾性部６４ａ、６４ｂの弾性変形が生じて、第１上ボタン支持部６３が、前板５ａと後板５ｆとの間に配置された電装基板４に近接する方向（すなわち、後板５ｆに近づく方向）に移動し、前面側からの押圧荷重を解除すると、第１上ボタン弾性部６４ａ、６４ｂが元の状態に復元して、第１上ボタン支持部６３が電装基板４から離反する方向（後板５ｆから離れる方向）に移動するようになっている。
【００３０】
第１左ボタン開口５８には、略円弧形状の第１左ボタン支持部６５と、第１左ボタン弾性部６６ａ、６６ｂ（図２には図示せず）とが配置されており、これらの部分６５、６６ａ、６６ｂが上ケース６と一体に形成されている。第１左ボタン弾性部６６ａ、６６ｂは、第１左ボタン支持部６５と第１左ボタン開口５８の周縁部分とを連結するアーム形状の部分である。この第１左ボタン弾性部６６ａ、６６ｂは、後述の弾性変形を可能にするために、その両端部分を除いては、第１左ボタン支持部６５及び第１左ボタン開口５８の周縁部分に連結されておらず、第１左ボタン支持部６５及び第１左ボタン開口５８の周縁部分との間には、ケース５内に連通する隙間が存在している。また、第１左ボタン支持部６５の背面には、後板５ｆに向かって突出する第１左ボタン突起部６５ａが形成されている。そして、第１左ボタン支持部６５に対して前面側から押圧荷重を加えると、第１左ボタン弾性部６６ａ、６６ｂの弾性変形が生じて、第１左ボタン支持部６５が、前板５ａと後板５ｆとの間に配置された電装基板４に近接する方向（すなわち、後板５ｆに近づく方向）に移動し、前面側からの押圧荷重を解除すると、第１左ボタン弾性部６６ａ、６６ｂが元の状態に復元して、第１左ボタン支持部６５が、電装基板４から離反する方向（後板５ｆから離れる方向）に移動するようになっている。
【００３１】
第１右ボタン開口５９には、略円弧形状の第１右ボタン支持部６７と、第１右ボタン弾性部６８ａ、６８ｂ（図２には図示せず）とが配置されており、これらの部分６７、６８ａ、６８ｂが上ケース６と一体に形成されている。第１右ボタン弾性部６８ａ、６８ｂは、第１右ボタン支持部６７と第１右ボタン開口５９の周縁部分とを連結するアーム形状の部分である。この第１右ボタン弾性部６８ａ、６８ｂは、後述の弾性変形を可能にするために、その両端部分を除いては、第１右ボタン支持部６７及び第１右ボタン開口５９の周縁部分に連結されておらず、第１右ボタン支持部６７及び第１右ボタン開口５９の周縁部分との間には、ケース５内に連通する隙間が存在している。また、第１右ボタン支持部６７の背面には、後板５ｆに向かって突出する第１右ボタン突起部６７ａが形成されている。そして、第１右ボタン支持部６７に対して前面側から押圧荷重を加えると、第１右ボタン弾性部６８ａ、６８ｂの弾性変形が生じて、第１右ボタン支持部６７が、前板５ａと後板５ｆとの間に配置された電装基板４に近接する方向（すなわち、後板５ｆに近づく方向）に移動し、前面側からの押圧荷重を解除すると、第１右ボタン弾性部６８ａ、６８ｂが元の状態に復元して、第１右ボタン支持部６７が、電装基板４から離反する方向（後板５ｆから離れる方向）に移動するようになっている。
【００３２】
第１下ボタン開口６０には、略円弧形状の第１下ボタン支持部６９と、第１下ボタン弾性部７０ａ、７０ｂ（図２には図示せず）とが配置されており、これらの部分６９、７０ａ、７０ｂが上ケース６と一体に形成されている。第１下ボタン弾性部７０ａ、７０ｂは、第１下ボタン支持部６９と第１下ボタン開口６０の周縁部分とを連結するアーム形状の部分である。この第１下ボタン弾性部７０ａ、７０ｂは、後述の弾性変形を可能にするために、その両端部分を除いては、第１下ボタン支持部６９及び第１下ボタン開口６０の周縁部分に連結されておらず、第１下ボタン支持部６９及び第１下ボタン開口６０の周縁部分との間には、ケース５内に連通する隙間が存在している。また、第１下ボタン支持部６９の背面には、後板５ｆに向かって突出する第１下ボタン突起部６９ａが形成されている。そして、第１下ボタン支持部６９に対して前面側から押圧荷重を加えると、第１下ボタン弾性部７０ａ、７０ｂの弾性変形が生じて、第１下ボタン支持部６９が、前板５ａと後板５ｆとの間に配置された電装基板４に近接する方向（すなわち、後板５ｆに近づく方向）に移動し、前面側からの押圧荷重を解除すると、第１下ボタン弾性部７０ａ、７０ｂが元の状態に復元して、第１下ボタン支持部６９が、電装基板４から離反する方向（後板５ｆから離れる方向）に移動するようになっている。
【００３３】
第２凹部５３には、第２左ボタン開口７１（図２には図示せず）が形成されている。第２左ボタン開口７１は、第２凹部５３の略中央に形成された略横長楕円形状の孔である。第２左ボタン開口７１には、略横長楕円形状の第２左ボタン支持部７２と、第２左ボタン弾性部７３ａ、７３ｂ（図２には図示せず）とが配置されており、これらの部分７２、７３ａ、７３ｂが上ケース６と一体に形成されている。第２左ボタン弾性部７３ａ、７３ｂは、第２左ボタン支持部７２と第２左ボタン開口７１の周縁部分とを連結するアーム形状の部分である。この第２左ボタン弾性部７３ａ、７３ｂは、後述の弾性変形を可能にするために、その両端部分を除いては、第２左ボタン支持部７２及び第２左ボタン開口７１の周縁部分に連結されておらず、第２左ボタン支持部７２及び第２左ボタン開口７１の周縁部分との間には、ケース５内に連通する隙間が存在している。また、第２左ボタン支持部７２の背面には、後板５ｆに向かって突出する第２左ボタン突起部７２ａが形成されている。そして、第２左ボタン支持部７２に対して前面側から押圧荷重を加えると、第２左ボタン弾性部７３ａ、７３ｂの弾性変形が生じて、第２左ボタン支持部７２が、前板５ａと後板５ｆとの間に配置された電装基板４に近接する方向（すなわち、後板５ｆに近づく方向）に移動し、前面側からの押圧荷重を解除すると、第２左ボタン弾性部７３ａ、７３ｂが元の状態に復元して、第２左ボタン支持部７２が、電装基板４から離反する方向（後板５ｆから離れる方向）に移動するようになっている。
【００３４】
第３凹部５４には、第３左ボタン開口７４（図２には図示せず）が形成されている。第３左ボタン開口７４は、第３凹部５４の略中央に形成された略横長楕円形状の孔である。第３左ボタン開口７４には、略横長楕円形状の第３左ボタン支持部７５と、第３左ボタン弾性部７６ａ、７６ｂ（図２には図示せず）とが配置されており、これらの部分７５、７６ａ、７６ｂが上ケース６と一体に形成されている。第３左ボタン弾性部７６ａ、７６ｂは、第３左ボタン支持部７５と第３左ボタン開口７４の周縁部分とを連結するアーム形状の部分である。この第３左ボタン弾性部７６ａ、７６ｂは、後述の弾性変形を可能にするために、その両端部分を除いては、第３左ボタン支持部７５及び第３左ボタン開口７４の周縁部分に連結されておらず、第３左ボタン支持部７５及び第３左ボタン開口７４の周縁部分との間には、ケース５内に連通する隙間が存在している。また、第３左ボタン支持部７５の背面には、後板５ｆに向かって突出する第３左ボタン突起部７５ａが形成されている。そして、第３左ボタン支持部７５に対して前面側から押圧荷重を加えると、第３左ボタン弾性部７６ａ、７６ｂの弾性変形が生じて、第３左ボタン支持部７５が、前板５ａと後板５ｆとの間に配置された電装基板４に近接する方向（すなわち、後板５ｆに近づく方向）に移動し、前面側からの押圧荷重を解除すると、第３左ボタン弾性部７６ａ、７６ｂが元の状態に復元して、第３左ボタン支持部７５が、電装基板４から離反する方向（後板５ｆから離れる方向）に移動するようになっている。
【００３５】
第４凹部５５には、第４右ボタン開口７７（図２には図示せず）が形成されている。第４右ボタン開口７７は、第４凹部５５の略中央に形成された略横長楕円形状の孔である。第４右ボタン開口７７には、略横長楕円形状の第４右ボタン支持部７８と、第４右ボタン弾性部７９ａ、７９ｂ（図２には図示せず）とが配置されており、これらの部分７８、７９ａ、７９ｂが上ケース６と一体に形成されている。第４右ボタン弾性部７９ａ、７９ｂは、第４右ボタン支持部７８と第４右ボタン開口７７の周縁部分とを連結するアーム形状の部分である。この第４右ボタン弾性部７９ａ、７９ｂは、後述の弾性変形を可能にするために、その両端部分を除いては、第４右ボタン支持部７８及び第４右ボタン開口７７の周縁部分に連結されておらず、第４右ボタン支持部７８及び第４右ボタン開口７７の周縁部分との間には、ケース５内に連通する隙間が存在している。また、第４右ボタン支持部７８の背面には、後板５ｆに向かって突出する第４右ボタン突起部７８ａが形成されている。そして、第４右ボタン支持部７８に対して前面側から押圧荷重を加えると、第４右ボタン弾性部７９ａ、７９ｂの弾性変形が生じて、第４右ボタン支持部７８が、前板５ａと後板５ｆとの間に配置された電装基板４に近接する方向（すなわち、後板５ｆに近づく方向）に移動し、前面側からの押圧荷重を解除すると、第４右ボタン弾性部７９ａ、７９ｂが元の状態に復元して、第４右ボタン支持部７８が、電装基板４から離反する方向（後板５ｆから離れる方向）に移動するようになっている。
【００３６】
第５凹部５６には、第５右ボタン開口８０（図２には図示せず）が形成されている。第５右ボタン開口８０は、第５凹部５６の略中央に形成された略横長楕円形状の孔である。第５右ボタン開口８０には、略横長楕円形状の第５右ボタン支持部８１と、第５右ボタン弾性部８２ａ、８２ｂ（図２には図示せず）とが配置されており、これらの部分８１、８２ａ、８２ｂが上ケース６と一体に形成されている。第５右ボタン弾性部８２ａ、８２ｂは、第５右ボタン支持部８１と第５右ボタン開口８０の周縁部分とを連結するアーム形状の部分である。この第５右ボタン弾性部８２ａ、８２ｂは、後述の弾性変形を可能にするために、その両端部分を除いては、第５右ボタン支持部８１及び第５右ボタン開口８０の周縁部分に連結されておらず、第５右ボタン支持部８１及び第５右ボタン開口８０の周縁部分との間には、ケース５内に連通する隙間が存在している。また、第５右ボタン支持部８１の背面には、後板５ｆに向かって突出する第５右ボタン突起部８１ａが形成されている。そして、第５右ボタン支持部８１に対して前面側から押圧荷重を加えると、第５右ボタン弾性部８２ａ、８２ｂの弾性変形が生じて、第５右ボタン支持部８１が、前板５ａと後板５ｆとの間に配置された電装基板４に近接する方向（すなわち、後板５ｆに近づく方向）に移動し、前面側からの押圧荷重を解除すると、第５右ボタン弾性部８２ａ、８２ｂが元の状態に復元して、第５右ボタン支持部８１が、電装基板４から離反する方向（後板５ｆから離れる方向）に移動するようになっている。
【００３７】
電装基板４は、ケース５の内部空間を前後方向に分割するように配置されており、ケース５を前面側から見た際に、その下端が、第１凹部５２の下端、第３凹部５４の下端、及び第５凹部５６の下端の位置まで延びている。そして、電装基板４の略上半分の領域には、前板５ａの表示開口５１に対向するように、空調機の運転状態等を表示するための液晶表示板４１が実装されており、電装基板４の略下半分の領域には、各ボタン支持部６１、６３、６５、６７、６９、７２、７５、７８、８１の背面に形成されたボタン突起部６１ａ、６３ａ、６５ａ、６７ａ、６９ａ、７２ａ、７５ａ、７８ａ、８１ａに対向するように、押圧されている場合のみＯＮ状態となるタクトスイッチ４２〜５０が実装されている。これにより、各ボタン支持部６１、６３、６５、６７、６９、７２、７５、７８、８１に対して前面側から押圧荷重を加えることで、各ボタン支持部６１、６３、６５、６７、６９、７２、７５、７８、８１を電装基板４に近接する方向に移動させると、ボタン突起部６１ａ、６３ａ、６５ａ、６７ａ、６９ａ、７２ａ、７５ａ、７８ａ、８１ａによってタクトスイッチ４２〜５０が押圧されてＯＮ状態となり、前面側からの押圧荷重を解除することで、各ボタン支持部６１、６３、６５、６７、６９、７２、７５、７８、８１を電装基板４から離反する方向に移動させると、ボタン突起部６１ａ、６３ａ、６５ａ、６７ａ、６９ａ、７２ａ、７５ａ、７８ａ、８１ａによるタクトスイッチ４２〜５０の押圧も開示されてＯＦＦ状態となるようになっている。
【００３８】
中央ボタン１１は、第１凹部５２の第１中央ボタン支持部６１上に配置される略円形状の樹脂製の部材である。この中央ボタン１１は、主として、第１中央ボタン支持部６１よりも大きな外形を有する略円形状のケース当接部１１ａと、ケース当接部１１ａの前面側に一体に形成されておりケース当接部１１ａよりも小さい外形を有する略円形状の押圧部１１ｂとを有している。そして、この中央ボタン１１に対して前面側から押圧荷重を加えることで、第１中央ボタン支持部６１に対して押圧荷重が作用し、これにより、タクトスイッチ４２がＯＮ状態となり、前面側からの押圧荷重を解除することで、第１中央ボタン支持部６１に対する押圧荷重が作用しなくなり、これにより、タクトスイッチ４２がＯＦＦ状態となるようになっている。このように、本体２を構成する中央ボタン１１、第１中央ボタン支持部６１、及び第１中央ボタン弾性部６２ａ、６２ｂは、前面側からの押圧荷重を加えることによって電装基板４に近接する方向に移動し、かつ、前面側からの押圧荷重を解除することによって電装基板４から離反する方向に移動する中央操作ボタン部１７を構成している。
【００３９】
十字ボタン１２は、中央ボタン１１の外周を囲むように、かつ、第１凹部５２のボタン支持部６３、６５、６７、６９上に渡って配置される略円環形状の樹脂製の部材である。この十字ボタン１２は、主として、その内周縁が中央ボタン１１のケース当接部１１ａの外周縁に接し、かつ、その外周縁が第１凹部５２の外周縁に接する略円環形状のケース当接部１２ａと、ケース当接部１２ａの前面側に一体に形成されておりその内周縁が中央ボタン１１の押圧部１１ｂに接し、かつ、その外周縁がケース当接部１２ａの外周縁よりも小さい略円環形状の押圧部１２ｂとを有している。そして、この十字ボタン１２の上部に対して前面側から押圧荷重を加えることで、第１上ボタン支持部６３に対して押圧荷重が作用し、これにより、タクトスイッチ４３がＯＮ状態となり、前面側からの押圧荷重を解除することで、第１上ボタン支持部６３に対する押圧荷重が作用しなくなり、これにより、タクトスイッチ４３がＯＦＦ状態となるようになっており、この十字ボタン１２の左部に対して前面側から押圧荷重を加えることで、第１左ボタン支持部６５に対して押圧荷重が作用し、これにより、タクトスイッチ４４がＯＮ状態となり、前面側からの押圧荷重を解除することで、第１左ボタン支持部６５に対する押圧荷重が作用しなくなり、これにより、タクトスイッチ４４がＯＦＦ状態となるようになっており、この十字ボタン１２の右部に対して前面側から押圧荷重を加えることで、第１右ボタン支持部６７に対して押圧荷重が作用し、これにより、タクトスイッチ４５がＯＮ状態となり、前面側からの押圧荷重を解除することで、第１右ボタン支持部６７に対する押圧荷重が作用しなくなり、これにより、タクトスイッチ４５がＯＦＦ状態となるようになっており、この十字ボタン１２の下部に対して前面側から押圧荷重を加えることで、第１下ボタン支持部６９に対して押圧荷重が作用し、これにより、タクトスイッチ４６がＯＮ状態となり、前面側からの押圧荷重を解除することで、第１下ボタン支持部６９に対する押圧荷重が作用しなくなり、これにより、タクトスイッチ４６がＯＦＦ状態となるようになっている。このように、本体２を構成する十字ボタン１２、ボタン支持部６３、６５、６７、６９、及びボタン弾性部６４ａ、６４ｂ、６６ａ、６６ｂ、６８ａ、６８ｂ、７０ａ、７０ｂは、前面側からの押圧荷重を加えることによって電装基板４に近接する方向に移動し、かつ、前面側からの押圧荷重を解除することによって電装基板４から離反する方向に移動する十字操作ボタン部１８を構成している。
【００４０】
左上ボタン１３は、第２凹部５３の第２左ボタン支持部７２上に配置される略横長楕円形状の樹脂製の部材である。この左上ボタン１３は、主として、第２左ボタン支持部７２よりも大きな外形を有する略横長楕円形状のケース当接部１３ａ（図示せず）と、ケース当接部１３ａの前面側に一体に形成されておりケース当接部１３ａよりも小さい外形を有する略横長楕円形状の押圧部１３ｂ（図示せず）とを有している。そして、この左上ボタン１３に対して前面側から押圧荷重を加えることで、第２左ボタン支持部７２に対して押圧荷重が作用し、これにより、タクトスイッチ４７がＯＮ状態となり、前面側からの押圧荷重を解除することで、第２左ボタン支持部７２に対する押圧荷重が作用しなくなり、これにより、タクトスイッチ４７がＯＦＦ状態となるようになっている。このように、本体２を構成する左上ボタン１３、第２左ボタン支持部７２、及び第２左ボタン弾性部７３ａ、７３ｂは、前面側からの押圧荷重を加えることによって電装基板４に近接する方向に移動し、かつ、前面側からの押圧荷重を解除することによって電装基板４から離反する方向に移動する左上操作ボタン部１９を構成している。
【００４１】
左下ボタン１４は、第３凹部５４の第３左ボタン支持部７５上に配置される略横長楕円形状の樹脂製の部材である。この左下ボタン１４は、主として、第３左ボタン支持部７５よりも大きな外形を有する略横長楕円形状のケース当接部１４ａ（図示せず）と、ケース当接部１４ａの前面側に一体に形成されておりケース当接部１４ａよりも小さい外形を有する略横長楕円形状の押圧部１４ｂ（図示せず）とを有している。そして、この左下ボタン１４に対して前面側から押圧荷重を加えることで、第３左ボタン支持部７５に対して押圧荷重が作用し、これにより、タクトスイッチ４８がＯＮ状態となり、前面側からの押圧荷重を解除することで、第３左ボタン支持部７５に対する押圧荷重が作用しなくなり、これにより、タクトスイッチ４８がＯＦＦ状態となるようになっている。このように、本体２を構成する左下ボタン１４、第３左ボタン支持部７５、及び第３左ボタン弾性部７６ａ、７６ｂは、前面側からの押圧荷重を加えることによって電装基板４に近接する方向に移動し、かつ、前面側からの押圧荷重を解除することによって電装基板４から離反する方向に移動する左下操作ボタン部２０を構成している。
【００４２】
右上ボタン１５は、第４凹部５５の第４右ボタン支持部７８上に配置される略横長楕円形状の樹脂製の部材である。この右上ボタン１５は、主として、第４右ボタン支持部７８よりも大きな外形を有する略横長楕円形状のケース当接部１５ａと、ケース当接部１５ａの前面側に一体に形成されておりケース当接部１５ａよりも小さい外形を有する略横長楕円形状の押圧部１５ｂとを有している。そして、この右上ボタン１５に対して前面側から押圧荷重を加えることで、第４右ボタン支持部７８に対して押圧荷重が作用し、これにより、タクトスイッチ４９がＯＮ状態となり、前面側からの押圧荷重を解除することで、第４右ボタン支持部７８に対する押圧荷重が作用しなくなり、これにより、タクトスイッチ４９がＯＦＦ状態となるようになっている。このように、本体２を構成する右上ボタン１５、第４右ボタン支持部７８、及び第４右ボタン弾性部７９ａ、７９ｂは、前面側からの押圧荷重を加えることによって電装基板４に近接する方向に移動し、かつ、前面側からの押圧荷重を解除することによって電装基板４から離反する方向に移動する右上操作ボタン部２１を構成している。
【００４３】
右下ボタン１６は、第５凹部５６の第５右ボタン支持部８１上に配置される略横長楕円形状の樹脂製の部材である。この右下ボタン１６は、主として、第５右ボタン支持部８１よりも大きな外形を有する略横長楕円形状のケース当接部１６ａと、ケース当接部１６ａの前面側に一体に形成されておりケース当接部１６ａよりも小さい外形を有する略横長楕円形状の押圧部１６ｂとを有している。そして、この右下ボタン１６に対して前面側から押圧荷重を加えることで、第５右ボタン支持部８１に対して押圧荷重が作用し、これにより、タクトスイッチ５０がＯＮ状態となり、前面側からの押圧荷重を解除することで、第５右ボタン支持部８１に対する押圧荷重が作用しなくなり、これにより、タクトスイッチ５０がＯＦＦ状態となるようになっている。このように、本体２を構成する右下ボタン１６、第５右ボタン支持部８１、及び第５右ボタン弾性部８２ａ、８２ｂは、前面側からの押圧荷重を加えることによって電装基板４に近接する方向に移動し、かつ、前面側からの押圧荷重を解除することによって電装基板４から離反する方向に移動する右下操作ボタン部２２を構成している。
【００４４】
前面パネル３は、本体２の前面（より具体的には、前板５ａの前面）に固定された樹脂製の板状部材である。ここで、前面パネル３の本体２の前面への固定は、接着剤等による貼り付けによって行われている。前面パネル３の略上半分の領域には、本体２の表示開口５１に対向するように略長方形状の透明な窓部３１が形成されており、前面側から液晶表示板４１が視認できるようになっている。また、前面パネル３の略下半分の領域には、中央操作ボタン部１７及び十字操作ボタン部１８に対向する中央ボタン孔３２と、左上操作ボタン部１９に対向する左上ボタン孔３３と、左下操作ボタン部２０に対向する左下ボタン孔３４と、右上操作ボタン部２１に対向する右上ボタン孔３５と、右下操作ボタン部２２に対向する右下ボタン孔３６とが形成されており、これらのボタン孔３２〜３６から、各操作ボタン部１７〜２２の前面側の部分に相当するボタン１１〜１６が露出している。ここで、中央ボタン孔３２は、十字ボタン１２の押圧部１２ｂの外周縁よりも大きく、かつ、ケース当接部１２ａの外周縁よりも小さい孔サイズを有しており、前面パネル３が本体２の前面に固定された状態において、十字ボタン１２が中央ボタン孔３２から飛び出さない構造となっている。また、他の各ボタン孔３３〜３６についても、中央ボタン孔３２と同様に、各ボタン１３〜１６の押圧部１３ｂ〜１６ｂの外周縁よりも大きく、かつ、ケース当接部１３ａ〜１６ａの外周縁よりも小さい孔サイズを有しており、前面パネル３が本体２の前面に固定された状態において、各ボタン１３〜１６が各ボタン孔３３〜３６から飛び出さない構造となっている。また、中央ボタン１１については、十字ボタン１２の押圧部１２ｂの内周縁が、中央ボタン１１の押圧部１１ｂに接するとともに、中央ボタン１１のケース当接部１１ａよりも内周側まで延びているため、前面パネル３が本体２の前面に固定された状態において、十字ボタン１２の内周縁によって中央ボタン孔３２から飛び出さない構造となっている。
【００４５】
以上のように、本実施形態におけるリモコン１では、操作ボタン部１７〜２２を構成する本体２の前面に前面パネル３を固定する構造が採用されており、操作ボタン部１７〜２２については、本体２がケース５とボタン１３〜１６を有するとともに、操作ボタン部１７〜２２が、ボタン１１〜１６と、ボタン支持部６１、６３、６５、６７、６９、７２、７５、７８、８１と、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂとを有する構造が採用されている。
【００４６】
（２）リモコンの防水構造
上述のような基本構造を有するリモコン１においては、中央操作ボタン部１７の前面側の部分に対応する中央ボタン１１と十字操作ボタン部１８の前面側の部分に対応する十字ボタン１２との間に隙間が存在し、また、前面パネル３の各ボタン孔３２〜３６の周縁部分と対応する操作ボタン部１８〜２２の前面側の部分に対応するボタン１２〜１６との間に隙間が存在するため、清掃時にリモコン１の水拭きがなされた場合等において、これらの隙間から本体２側（より具体的には、前板５ａの前面側）に水が侵入するおそれがある。そして、このような本体２側への水の侵入が生じた場合には、この水が、操作ボタン部１７〜２２から本体２内にさらに侵入するおそれがある。
【００４７】
特に、このリモコン１のような、操作ボタン部１７〜２２が、ボタン１１〜１６と、ボタン支持部６１、６３、６５、６７、６９、７２、７５、７８、８１と、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂとを有する構造を採用している場合には、ボタン弾性部６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂの形成に伴って、ボタン支持部６１、６３、６５、６７、６９、７２、７５、７８、８１とケース５の前面（より具体的には、前板５ａの前面）との間に隙間が形成されていることから、操作ボタン部１７の前面側の部分に対応する中央ボタン１１と十字操作ボタン部１８の前面側の部分に対応する十字ボタン１２との間の隙間や、各ボタン孔３２〜３６の周縁部分と対応する操作ボタン部１８〜２２の前面側の部分に対応するボタン１２〜１６との間の隙間から本体２側に水が侵入した場合に、この水が、この隙間を通じてケース５内にさらに侵入するおそれが高くなっている。
【００４８】
これに対して、このリモコン１では、中央ボタン１１と十字ボタン１２との間の隙間や中央ボタン孔３２の周縁部分と十字ボタン１２との隙間から本体２側に侵入した水については、第１凹部５２の外周縁の形状を円弧状にすることによって第１凹部５２の外周縁付近を伝って下方に導かれやすくするとともに、電装基板４の下端が、中央操作ボタン部１７及び十字操作ボタン部１８が配置される第１凹部５２の下端の位置よりも下側に位置しないようにし、左下ボタン孔３４の周縁部分と左下ボタン１４との隙間から本体２側に侵入した水については、電装基板４の下端が、左下操作ボタン部２０が配置される第３凹部５４の下端の位置よりも下側に位置しないようにし、右下ボタン孔３６の周縁部分と右下ボタン１６との隙間から本体２側に侵入した水については、電装基板４の下端が、右下操作ボタン部２２が配置される第５凹部５６の下端の位置よりも下側に位置しないようにすることで、第１凹部５２の下端、第３凹部５４の下端、及び第５凹部５６の下端よりも下側に電装基板４の防水必要部分（電装基板４に実装された電子部品）が位置しないようにして、中央ボタン１１と十字ボタン１２と隙間、中央ボタン孔３２の周縁部分と十字ボタン１２との隙間、左下ボタン孔３４の周縁部分と左下ボタン１４との隙間、及び、右下ボタン孔３６の周縁部分と右下ボタン１６との隙間から本体２側に侵入した場合であっても、この水を、ボタン支持部６１、６３、６５、６７、６９、７５、８１とケース５の前面との隙間からケース５内に侵入させることなく、凹部５２、５４、５６等を通じて凹部５２、５４、５６の下端まで速やかに導き、電装基板４に水がかかるのを防ぐようにしている。
【００４９】
しかし、左上ボタン孔３３の周縁部分と左上ボタン１３との隙間、及び、右上ボタン孔３５の周縁部分と右上ボタン１５との隙間から本体２側に侵入した水については、左下操作ボタン部２０及び右下操作ボタン部２２が、左上操作ボタン部１９及び右上操作ボタン部２１よりも下側に位置する関係上、電装基板４の下端を、左上操作ボタン部１９が配置される第２凹部５３の下端、及び、右上操作ボタン部２１が配置される第４凹部５５の下端よりも下側に位置しないようにすることが困難である。
【００５０】
そこで、このリモコン１では、本体２の前面（より具体的には、前板５ａの前面）に、左上操作ボタン部１９の下端から下方に延びる左溝９１、及び、右上操作ボタン部２１の下端から下方に延びる右溝９２を形成するようにしている。これにより、左溝９１と前面パネル３の背面とは、左上ボタン孔３３の周縁部分と左上操作ボタン部１９の前面側の部分に対応する左上ボタン１３との隙間から本体２側に侵入した水を下方に導く左導水経路９ａを構成し、右溝９２と前面パネル３の背面とは、右上ボタン孔３５の周縁部分と右上操作ボタン部２１の前面側の部分に対応する右上ボタン１５との隙間から本体２側に侵入した水を下方に導く右導水経路９ｂを構成することになる。ここでは、左溝９１は、左上操作ボタン部１９（第１操作ボタン部）よりも下側に配置された左下操作ボタン部２０に向かって延びており、右溝９２は、右上操作ボタン部２１（第１操作ボタン部）よりも下側に配置された右下操作ボタン部２２に向かって延びている。
【００５１】
このため、清掃時にリモコン１の水拭きがなされた場合等において、左上ボタン孔３３の周縁部分と左上ボタン１３との隙間から本体２側に水が侵入したとしても、この水が、左導水経路９ａを通じて下方の左下操作ボタン部２０まで導かれ、また、右上ボタン孔３５の周縁部分と右上ボタン１５との隙間から本体２側に水が侵入したとしても、この水が、右導水経路９ｂを通じて下方の右下操作ボタン部２２まで導かれて、電装基板４の防水必要部分に対応する位置よりも下側に排水されることになり、これにより、操作ボタン部１９、２１から本体２内へさらに侵入して、電装基板４に水がかかるのを防ぐことができる。このように、このリモコン１における防水構造では、従来の防水用リブによる防水構造に比べて、防水用リブが存在しない分だけ、本体２の薄型化が可能となり、しかも、密着性を確保するために部材間に圧縮荷重をかけたり、各部材の寸法精度が要求される等の必要のない簡易な構造とすることができる。
【００５２】
また、左溝９１は、第３凹部５４の左端に接続されており、右溝９２は、第５凹部５６の右端に接続されているため、導水経路９ａ、９ｂを通じて下方の操作ボタン部２０、２２まで導かれた水が、凹部５４、５６の外周縁付近を伝って速やかに凹部５４、５６の下端に導くことができる。
【００５３】
さらに、このリモコン１では、本体２の前面（より具体的には、前板５ａの前面）において、左溝９１の上端の位置に、左上ボタン孔３３の周縁部分と左上ボタン１３との隙間から本体２側に侵入した水を左溝９１に導く前に集める左集約部９３と、右溝９２の上端の位置に、右上ボタン孔３５の周縁部分と右上ボタン１５との隙間から本体２側に侵入した水を右溝９２に導く前に集める右集約部９４とがさらに形成されている。ここで、左集約部９３は、第２凹部５３の下端よりも下側に形成された左溝９１よりも幅広の溝であり、右集約部９４は、第４凹部５５の下端よりも下側に形成された右溝９２よりも幅広の溝である。
【００５４】
このため、このリモコン１では、左上ボタン孔３３の周縁部分と左上ボタン１３との隙間から本体２側に水が侵入した場合においても、この水が、左集約部９３に集められた後に左導水経路９ａに導かれることになり、右上ボタン孔３５の周縁部分と右上ボタン１５との隙間から本体２側に水が侵入した場合においても、この水が、右集約部９４に集められた後に右導水経路９ｂに導かれることになり、これにより、左上ボタン孔３３の周縁部分と左上ボタン１３との隙間や右上ボタン孔３５の周縁部分と右上ボタン１５との隙間から本体２側に導水経路９ａ、９ｂからの排水能力を超えるほどの多量の水が侵入した場合においても、この水を操作ボタン部１９、２１から本体２内に侵入させることなく、導水経路９ａ、９ｂに導くことができる。また、このリモコン１のように、本体２の前面に前面パネル３を貼り付けによって固定する構造を採用する際には、確実な固定を実現するために、本体２の前面（より具体的には、前板５ａの前面）と前面パネル３の背面とが接触する面積を多くすることが望ましいが、集約部９３、９４を設けることによって溝９１、９２の幅を小さくできるため、本体２の前面と前面パネル３の背面とが接触する面積を多くすることに寄与することもなる。
【００５５】
（３）他の実施形態
以上、本発明の実施形態について図面に基づいて説明したが、具体的な構成は、これらの実施形態に限られるものではなく、発明の要旨を逸脱しない範囲で変更可能である。
【００５６】
＜Ａ＞
上述の実施形態では、左上操作ボタン部から導水経路を設ける必要が生じていない左下操作ボタン部に向かって延びる導水経路、及び、右上操作ボタン部から導水経路を設ける必要が生じていない右下操作ボタン部に向かって延びる導水経路を設けているが、左上操作ボタン部や右上操作ボタン部から導水経路を設ける必要が生じていない中央操作ボタン部及び十字操作ボタン部に向かって延びる導水経路を設けるようにしてもよい。また、上述の実施形態とは異なり、導水経路を設ける必要が生じていない操作ボタン部が存在しない場合には、各操作ボタン部に導水経路を設けるようにしてもよい。
【００５７】
＜Ｂ＞
上述の実施形態では、電装基板との相対配置の工夫等により導水経路を設ける必要が生じていない中央操作ボタン部及び十字操作ボタン部と左下操作ボタン部と右下操作ボタン部とについては、左上操作ボタン部や右上操作ボタン部とは異なり、本発明にかかる排水経路を設けていないが、第１凹部、第３凹部及び第５凹部の下端よりも下側に電装基板を配置せざるを得ない場合等のように、導水経路を設ける必要が生じる場合には、中央操作ボタン部及び十字操作ボタン部と左下操作ボタン部と右下操作ボタン部とについても、本発明にかかる排水経路を設けるようにしてもよい。
【００５８】
＜Ｃ＞
上述の実施形態では、操作ボタン部を構成するボタンが、ケースの前面と一体に形成されたボタン支持部とは別部材となっているが、ボタンがボタン支持部に一体に形成されていてもよい。
【００５９】
＜Ｄ＞
また、操作ボタン部の具体的な構成や個数等は、上述の実施形態のものに限定されず、種々の構成や個数の操作ボタン部を有する場合にも、本発明を適用可能である。
【産業上の利用可能性】
【００６０】
本発明を利用すれば、壁面等に取り付けられる操作機器において、薄型化が可能で、かつ、簡易な防水構造を提供することができる。
【図面の簡単な説明】
【００６１】
【図１】本発明にかかる操作機器の一実施形態としてのリモコンの概略正面図である。
【図２】リモコンの概略分解斜視図である。
【図３】図１のＩ−Ｉ断面図である。
【図４】図１のＩＩ−ＩＩ断面図である。
【図５】前面パネル及びボタンをケースに取り付ける前の状態におけるリモコンの概略正面図である。
【符号の説明】
【００６２】
１  リモコン（操作機器）
２  本体
３  前面パネル
４  電装基板
５  ケース
９ａ、９ｂ  導水経路
１１〜１６  ボタン
１７〜２２  操作ボタン部
３２〜３６  ボタン孔
６１、６３、６５、６７、６９、７２、７５、７８、８１  ボタン支持部
６２ａ、６２ｂ、６４ａ、６４ｂ、６６ａ、６６ｂ、６８ａ、６８ｂ、７０ａ、７０ｂ、７３ａ、７３ｂ、７６ａ、７６ｂ、７９ａ、７９ｂ、８２ａ、８２ｂ  ボタン弾性部
９１、９２  溝
９３、９４  集約部